(57)【要約】  本発明の被監視者監視支援システムの中央処理装置および中央処理方法、ならびに、前記被監視者監視支援システムでは、センサ装置から事故イベントの通知を受信した場合に、時計部で計時された現在の年月日時分、前記センサ装置に対応付けられてセンサ情報記憶部に記憶されたセンサ情報、および、前記センサ装置に対応する被監視者に対応付けられて被監視者情報記憶部に記憶された被監視者情報が、書式記憶部に記憶された事故報告書書式に書き込まれ、これによって、事故報告書が作成される。
2019008890.tif 000002
【特許請求の範囲】
【請求項１】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者の監視を支援するための被監視者監視支援システムの前記中央処理装置であって、
前記所定のイベントは、事故として予め規定されたイベントである事故イベントを含み、
前記事故の内容を記入するための事故報告書書式を記憶する書式情報記憶部と、
前記被監視者に関する所定の情報を被監視者情報として前記被監視者に対応付けて記憶する被監視者情報記憶部と、
前記センサ装置に関する所定の情報をセンサ情報として前記センサ装置に対応付けて記憶するセンサ情報記憶部と、
年月日時分を計時する時計部と、
前記センサ装置から事故イベントの通知を受信した場合に、前記時計部で計時された現在の年月日時分、前記センサ装置に対応付けられて前記センサ情報記憶部に記憶されたセンサ情報、および、前記センサ装置に対応する被監視者に対応付けられて前記被監視者情報記憶部に記憶された被監視者情報を、前記書式記憶部に記憶された事故報告書書式に書き込むことによって、事故報告書を作成する事故報告書作成部とを備える、
中央処理装置。
【請求項２】
前記被監視者のスケジュールを前記被監視者に対応付けて記憶するスケジュール記憶部をさらに備え、
前記事故報告書作成部は、前記センサ装置に対応する被監視者に対応付けられて前記スケジュール記憶部に記憶された現在の年月日時分に対応するスケジュールの内容を、前記事故報告書書式にさらに書き込む、
請求項１に記載の中央処理装置。
【請求項３】
前記センサ装置は、静止画を生成する撮像部を備え、少なくとも前記事故イベントを当該中央処理装置に送信する際に、前記事故イベントと共に前記事故イベントの検知の際に前記撮像部で生成された静止画を当該中央処理装置に送信し、
前記事故報告書作成部は、さらに、前記センサ装置から受信した前記事故イベントと共に受信した静止画を、前記事故報告書に貼り付ける、
請求項１または請求項２に記載の中央処理装置。
【請求項４】
前記撮像部は、さらに動画を生成し、前記センサ装置は、少なくとも、前記撮像部で生成された前記事故イベントに関わる動画である事故イベント動画を前記事故イベントに対応付けて当該中央処理装置にさらに送信し、
事故イベントごとに事故イベント動画を記憶する事故イベント動画記憶部と、
前記センサ装置から受信した事故イベント動画および前記事故イベントを互いに対応付けて前記事故イベント動画記憶部に記憶する事故イベント動画処理部とをさらに備え、
前記事故報告書作成部は、さらに、前記事故イベント動画処理部で事故イベント動画記憶部に記憶された事故イベント動画を、この事故イベント動画に対応付けられた事故イベントと一致する事故イベントを前記センサ装置から受信した際に作成された前記事故報告書に取り込む、
請求項１ないし請求項３のいずれか１項に記載の中央処理装置。
【請求項５】
前記事故報告書作成部で作成された事故報告書を仮記憶する事故報告書仮記憶部と、
前記事故報告書作成部で作成された事故報告書に追記する追記内容を取得する追記内容取得部と、
前記事故報告書を本記憶する事故報告書本記憶部とをさらに備え、
前記事故報告書作成部は、さらに、前記事故報告書仮記憶部に仮記憶されている事故報告書を指定して前記追記内容取得部で追記内容を取得した場合に、前記指定された事故報告書に、前記取得した追記内容を書き込み、前記書き込んだ事故報告書を前記事故報告書本記憶部に記憶する、
請求項１ないし請求項４のいずれか１項に記載の中央処理装置。
【請求項６】
所定の時刻に、前記事故報告書仮記憶部に仮記憶されている事故報告書の存在を警告する警告処理部をさらに備える、
請求項５に記載の中央処理装置。
【請求項７】
前記警告処理部は、前記警告の際に、前記事故報告書仮記憶部に仮記憶されている事故報告書を消去するか否かを問い合わせ、前記消去の回答があった場合に、前記消去の回答のあった事故報告書を前記事故報告書仮記憶部から消去する、
請求項６に記載の中央処理装置。
【請求項８】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者の監視を支援するための被監視者監視支援システムの中央処理方法であって、
前記所定のイベントは、事故として予め規定されたイベントである事故イベントを含み、
前記中央処理装置は、前記事故の内容を記入するための事故報告書書式を記憶する書式情報記憶部と、前記被監視者に関する所定の情報を被監視者情報として前記被監視者に対応付けて記憶する被監視者情報記憶部と、前記センサ装置に関する所定の情報をセンサ情報として前記センサ装置に対応付けて記憶するセンサ情報記憶部と、年月日時分を計時する時計部とを備え、
前記センサ装置から事故イベントの通知を受信した場合に、前記時計部で計時された現在の年月日時分を取得する時刻取得工程と、
前記センサ装置から事故イベントの通知を受信した場合に、前記センサ装置に対応付けられたセンサ情報を前記センサ情報記憶部から取得するセンサ情報取得工程と、
前記センサ装置から事故イベントの通知を受信した場合に、前記センサ装置に対応する被監視者に対応付けられた被監視者情報を取得する被監視者情報取得工程と、
前記時刻取得工程で取得された現在の年月日時分、前記センサ情報取得工程で取得されたセンサ情報、および、前記被監視者情報取得工程で取得された被監視者情報を、前記書式記憶部に記憶された事故報告書書式に書き込むことによって、事故報告書を作成する事故報告書作成工程とを備える、
中央処理方法。
【請求項９】
監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者の監視を支援するための被監視者監視支援システムであって、
前記中央処理装置は、請求項１ないし請求項７のいずれか１項に記載の中央処理装置である、
被監視者監視支援システム。
【発明の詳細な説明】
【技術分野】
【０００１】
本発明は、監視すべき監視対象である被監視者を監視する際にその監視を支援する被監視者監視支援システムの中央処理装置および中央処理方法、ならびに、前記被監視者監視支援システムに関する。
【背景技術】
【０００２】
我が国（日本）のような高齢化社会では、病気や怪我や高齢等による看護や介護を必要とする要看護者や要介護者等は、高齢化社会ではない通常の社会で生じる要看護者や要介護者等よりもその増加が見込まれる。これら要看護者や要介護者等は、一般的には、病院や、老人福祉施設（日本の法令では老人短期入所施設、養護老人ホームおよび特別養護老人ホーム等）等の施設に入所し、その看護や介護を受ける。このような施設では、看護師や介護士等は、定期的に巡視することによってその安否や様子を確認している。この安否確認の点では、一人暮らしの独居者も前記要看護者や要介護者等と同様である。一方、近年では、独りで移動の困難な者や在宅の療養を希望する者等のために、訪問診療や往診等の在宅医療も要請されている。【０００３】
このような業界では、医療や看護や介護等のサービスを要請する者（サービス受益者）の増加に較べて、前記サービスを提供する者（サービス提供者）の増加が追いつかず、慢性的に人手不足になっている。このため、前記サービスや前記サービスに関連して生じる業務の負担を軽減するため、前記サービスや前記業務を補完する技術が求められている。このような技術の一つが例えば特許文献１に開示されている。【０００４】
この特許文献１に開示された医療介護インシデント情報管理装置は、操作者により入力される医療または介護に関する記録に関する情報である医療介護記録情報を取得する医療介護記録情報取得部と、前記取得した医療介護記録情報のうち第１文字列が含まれている医療介護記録情報を対象医療介護記録情報として抽出する抽出部と、前記対象医療介護記録情報に含まれる前記第１文字列と、該第１文字列の前後にある文字列とを表示装置に表示させる表示制御部と、前記表示の結果、前記操作者から入力された指示情報に応じて、前記対象医療介護記録情報に基づいて、医療または介護に関する事故につながる可能性のあるインシデント情報を生成するインシデント生成部と、前記生成した前記インシデント情報を、記憶部に登録するインシデント登録部とを備える。【０００５】
ところで、不幸にして、前記サービス受益者（被監視者等）に事故が生じてしまった場合、前記サービス提供者（監視者等）は、一般的に、事故報告書を作成する。事故発生直後は、前記サービス提供者は、その事故に対応しなければならず、事故報告書を作成することが難しい。このため、事故報告書は、事故対応の終了後に作成されることになるが、前記サービス提供者は、事故対応により後回しになっていたサービスを提供しなければ成らない。このため、前記サービス提供者は、事故対応の終了後でも直ちに事故報告書を作成することが難しく、事故報告書の作成が遅くなってしまい、また、作成漏れが生じてしまう虞があった。【０００６】
前記特許文献１に開示された医療介護インシデント情報管理装置は、既に作成されている医療介護記録情報から、ヒヤリハット的な、医療または介護に関する事故につながる可能性のあるインシデント情報を生成する装置であり、事故報告書を作成する装置ではない。
【先行技術文献】
【特許文献】
【０００７】
【特許文献１】特開２０１１−２１０１８７号公報
【発明の概要】
【発明が解決しようとする課題】
【０００８】
本発明は、上述の事情に鑑みて為された発明であり、その目的は、事故報告書の作成漏れを防止でき、事故報告書を速やかに作成できる被監視者監視支援システムの中央処理装置および中央処理方法、ならびに、前記被監視者監視支援システムを提供することである。【０００９】
上述した目的を実現するために、本発明の一側面を反映した被監視者監視支援システムの中央処理装置および中央処理方法、ならびに、前記被監視者監視支援システムでは、センサ装置から事故イベントの通知を受信した場合に、時計部で計時された現在の年月日時分、前記センサ装置に対応付けられてセンサ情報記憶部に記憶されたセンサ情報、および、前記センサ装置に対応する被監視者に対応付けられて被監視者情報記憶部に記憶された被監視者情報が、書式記憶部に記憶された事故報告書書式に書き込まれ、これによって、事故報告書が作成される。【００１０】
発明の１または複数の実施形態により与えられる利点および特徴は、以下に与えられる詳細な説明および添付図面から十分に理解される。これら詳細な説明及び添付図面は、例としてのみ与えられるものであり本発明の限定の定義として意図されるものではない
【図面の簡単な説明】
【００１１】
【図１】実施形態における被監視者監視支援システムの構成を示す図である。
【図２】前記被監視者監視支援システムにおけるセンサ装置の構成を示す図である。
【図３】前記被監視者監視支援システムにおける管理サーバ装置の構成を示す図である。
【図４】前記管理サーバ装置に記憶される監視情報テーブルの構成を示す図である。
【図５】前記管理サーバ装置に記憶される装置間情報テーブルの構成を示す図である。
【図６】前記管理サーバ装置に記憶されるセンサ情報テーブルの構成を示す図である。
【図７】前記管理サーバ装置に記憶される事故報告書書式の一例を示す図である。
【図８】前記管理サーバ装置に記憶される被監視者情報テーブルの構成を示す図である。
【図９】前記管理サーバ装置に記憶される動画管理情報テーブルの構成を示す図である。
【図１０】前記管理サーバ装置に記憶される報告書管理情報テーブルの構成を示す図である。
【図１１】前記センサ装置の動作を示すフローチャートである。
【図１２】前記管理サーバ装置の動作を示すフローチャートである。
【図１３】図１１に示すフローチャートにおける監視情報処理の動作を示すフローチャートである。
【図１４】図１１に示すフローチャートにおける動画保存処理の動作を示すフローチャートである。
【図１５】図１１に示すフローチャートにおける追記処理の動作を示すフローチャートである。
【図１６】図１１に示すフローチャートにおける消去処理の動作を示すフローチャートである。
【図１７】前記管理サーバ装置によって自動的に作成された事故報告遺書の一例を示すフローチャートである。
【図１８】前記管理サーバ装置において、警告処理の動作を示すフローチャートである。
【図１９】変形形態の管理サーバ装置に記憶されるスケジュール情報テーブルの構成を示す図である。
【発明を実施するための形態】
【００１２】
以下、本発明にかかる実施の一形態を図面に基づいて説明する。しかしながら、発明の範囲は、開示された実施形態に限定されない。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１３】
本実施形態における被監視者監視支援システムは、監視すべき（見守るべき）監視対象（見守り対象）である被監視者（見守り対象者）Ｏｂを監視する際に、その監視を支援するシステムである。本実施形態では、被監視者監視支援システムは、監視対象である被監視者に対応して設けられ、前記被監視者に関わる所定のイベント（事象）を検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備える。前記所定のイベントは、複数の種類を含み、好ましくは、事故として予め規定されたイベントである事故イベントを含む。前記中央処理装置は、前記事故の内容を記入するための事故報告書書式を記憶する書式情報記憶部と、前記被監視者Ｏｂに関する所定の情報を被監視者情報として前記被監視者Ｏｂに対応付けて記憶する被監視者情報記憶部と、前記センサ装置に関する所定の情報をセンサ情報として前記センサ装置に対応付けて記憶するセンサ情報記憶部と、年月日時分を計時する時計部と、前記センサ装置から事故イベントの通知を受信した場合に、前記時計部で計時された現在の年月日時分、前記センサ装置に対応付けられて前記センサ情報記憶部に記憶されたセンサ情報、および、前記センサ装置に対応する被監視者Ｏｂに対応付けられて前記被監視者情報記憶部に記憶された被監視者情報を、前記書式記憶部に記憶された事故報告書書式に書き込むことによって、事故報告書を作成する事故報告書作成部とを備える。前記端末装置は、１種類の装置であって良いが、本実施形態態では、前記端末装置は、固定端末装置と携帯端末装置との２種類の装置である。これら固定端末装置と携帯端末装置との主な相違は、固定端末装置が固定的に運用される一方、携帯端末装置が例えば看護師や介護士等の監視者（サービス提供者、ユーザ）に携行されて運用される点であり、これら固定端末装置と携帯端末装置とは、略同様である。このような被監視者監視支援システムについて、前記中央処理装置の一例として管理サーバ装置ＳＶを挙げ、以下、より具体的に説明する。
【００１４】
図１は、実施形態における被監視者監視支援システムの構成を示す図である。図２は、前記被監視者監視支援システムにおけるセンサ装置の構成を示す図である。図３は、前記被監視者監視支援システムにおける管理サーバ装置の構成を示す図である。図４は、前記管理サーバ装置に記憶される監視情報テーブルの構成を示す図である。図５は、前記管理サーバ装置に記憶される装置間情報テーブルの構成を示す図である。図５Ａは、通知先対応関係情報テーブルを示し、図５Ｂは、通信アドレス対応関係情報テーブルを示す。図６は、前記管理サーバ装置に記憶されるセンサ情報テーブルの構成を示す図である。図７は、前記管理サーバ装置に記憶される事故報告書書式の一例を示す図である。図８は、前記管理サーバ装置に記憶される被監視者情報テーブルの構成を示す図である。図９は、前記管理サーバ装置に記憶される動画管理情報テーブルの構成を示す図である。図１０は、前記管理サーバ装置に記憶される報告書管理情報テーブルの構成を示す図である。
【００１５】
実施形態における被監視者監視支援システムＭＳは、被監視者の監視を支援するシステムであり、例えば、図１に示すように、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）と、構内交換機（ＰＢＸ、Ｐｒｉｖａｔｅ  ｂｒａｎｃｈ  ｅｘｃｈａｎｇｅ）ＣＸとを備え、これらは、有線や無線で、ＬＡＮ（Ｌｏｃａｌ  Ａｒｅａ  Ｎｅｔｗｏｒｋ）等の網（ネットワーク、通信回線）ＮＷを介して通信可能に接続される。ネットワークＮＷは、通信信号を中継する例えばリピーター、ブリッジおよびルーター等の中継機が備えられても良い。図１に示す例では、これら複数のセンサ装置ＳＵ−１〜ＳＵ−４、管理サーバ装置ＳＶ、固定端末装置ＳＰ、複数の携帯端末装置ＴＡ−１、ＴＡ−２および構内交換機ＣＸは、Ｌ２スイッチの集線装置（ハブ、ＨＵＢ）ＬＳおよびアクセスポイントＡＰを含む有線および無線の混在したＬＡＮ（例えばＩＥＥＥ８０２．１１規格に従ったＬＡＮ等）ＮＷによって互いに通信可能に接続されている。より詳しくは、複数のセンサ装置ＳＵ−１〜ＳＵ−４、管理サーバ装置ＳＶ、固定端末装置ＳＰおよび構内交換機ＣＸは、集線装置ＬＳに接続され、複数の携帯端末装置ＴＡ−１、ＴＡ−２は、アクセスポイントＡＰを介して集線装置ＬＳに接続されている。そして、ネットワークＮＷは、ＴＣＰ（Ｔｒａｎｓｍｉｓｓｉｏｎ  ｃｏｎｔｒｏｌ  ｐｒｏｔｏｃｏｌ）およびＩＰ（Ｉｎｔｅｒｎｅｔ  ｐｒｏｔｏｃｏｌ）等のインターネットプロトコル群が用いられることによっていわゆるイントラネットを構成する。
【００１６】
構内交換機（回線切換機）ＣＸは、ネットワークＮＷに接続され、携帯端末装置ＴＡ同士における発信、着信および通話等の内線電話の制御を行って前記携帯端末装置ＴＡ同士の内線電話を実施し、そして、例えば固定電話網や携帯電話網等の公衆電話網ＰＮを介して例えば固定電話機や携帯電話機等の外線電話機ＴＬに接続され、外線電話機ＴＬと携帯端末装置ＴＡとの間における発信、着信および通話等の外線電話の制御を行って外線電話機ＴＬと携帯端末装置ＴＡとの間における外線電話を実施するものである。構内交換機ＣＸは、例えば、デジタル交換機や、ＩＰ−ＰＢＸ（Ｉｎｔｅｒｎｅｔ  Ｐｒｏｔｏｃｏｌ  Ｐｒｉｖａｔｅ  Ｂｒａｎｃｈ  ｅＸｃｈａｎｇｅ）等である。
【００１７】
被監視者監視支援システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視支援システムＭＳは、被監視者Ｏｂの種類に応じて、病院、老人福祉施設および住戸等の建物に好適に配設される。図１に示す例では、被監視者監視支援システムＭＳは、複数の被監視者Ｏｂが入居する複数の居室ＲＭや、ナースステーション等の複数の部屋を備える介護施設の建物に配設されている。
【００１８】
センサ装置ＳＵは、ネットワークＮＷを介して他の装置ＳＶ、ＳＰ、ＴＡと通信する通信機能等を備え、被監視者Ｏｂに関わる所定のイベント（事象）を検知して管理サーバ装置ＳＶへ通知する装置である。前記所定のイベントは、上述したように、複数の種類を含み、好ましくは、事故イベントを含む。例えば、本実施形態では、前記所定のイベントは、好適には対処が必要な所定のイベントであり、被監視者Ｏｂにおける予め設定された所定の行動およびナースコール（ＮＣ）である。このようなセンサ装置ＳＵは、例えば、図２に示すように、センサ部１１と、センサ側音入出力部（ＳＵ音入出力部）１２と、ナースコール受付操作部１３と、センサ側制御処理部（ＳＵ制御処理部）１４と、センサ側通信インターフェース部（ＳＵ通信ＩＦ部）１５と、センサ側記憶部（ＳＵ記憶部）１６とを備える。
【００１９】
センサ部１１は、ＳＵ制御処理部１４に接続され、ＳＵ制御処理部１４の制御に従って、被監視者Ｏｂにおける予め設定された所定の諸量を検出する装置である。前記所定の諸量は、被監視者Ｏｂにおける検知すべき前記所定の行動に応じて適宜に決定される。本実施形態では、前記所定の行動は、例えば、被監視者Ｏｂが起きた起床、被監視者Ｏｂが寝具から離れた離床、被監視者Ｏｂが倒れた転倒、および、被監視者Ｏｂの体動が停止した体動停止の４つの行動であり、前記転倒および体動停止が前記事故イベントとして予め規定される。これらを検知するために、センサ部１１は、例えば、撮像部１１１と、体動測定部１１２とを備える。なお、前記転倒には、被監視者Ｏｂが寝具から落ちた転落が含まれて良く、あるいは、前記転倒とは別途に、前記所定の行動には、前記転落が含まれて良く、この転落が前記事故イベントとして予め規定されて良い。
【００２０】
撮像部１１１は、ＳＵ制御処理部１４に接続され、ＳＵ制御処理部１４の制御に従って、画像（画像データ）を生成する装置である。前記画像には、静止画（静止画データ）および動画（動画データ）が含まれる。撮像部１１１は、被監視者Ｏｂが所在を予定している空間（所在空間、図１に示す例では配設場所の居室ＲＭ）を監視可能に配置され、前記所在空間を撮像対象としてその上方から撮像し、前記撮像対象を俯瞰した画像（画像データ）を生成し、前記撮像対象の画像（対象画像）をＳＵ制御処理部１４へ出力する。好ましくは、被監視者Ｏｂ全体を撮像できる蓋然性が高いことから、撮像部１１１は、被監視者Ｏｂが横臥する寝具（例えばベッド等）における、被監視者Ｏｂの頭部が位置すると予定されている予め設定された頭部予定位置（通常、枕の配設位置）の直上から撮像対象を撮像できるように配設される。センサ装置ＳＵは、この撮像部１１１によって、被監視者Ｏｂを、被監視者Ｏｂの上方から撮像した画像、好ましくは前記頭部予定位置の直上から撮像した画像を取得する。
【００２１】
このような撮像部１１１は、可視光の画像を生成する装置であって良いが、比較的暗がりでも被監視者Ｏｂを監視できるように、本実施形態では、赤外線の画像を生成する装置である。このような撮像部１１１は、例えば、本実施形態では、撮像対象における赤外の光学像を所定の結像面上に結像する結像光学系、前記結像面に受光面を一致させて配置され、前記撮像対象における赤外の光学像を電気的な信号に変換するイメージセンサ、および、イメージセンサの出力を画像処理することで前記撮像対象における赤外の画像を表すデータである画像データを生成する画像処理部等を備えるデジタル赤外線カメラである。撮像部１１１の前記結像光学系は、本実施形態では、その配設された居室ＲＭ全体を撮像できる画角を持つ広角な光学系（いわゆる広角レンズ（魚眼レンズを含む））であることが好ましい。
【００２２】
体動測定部１１２は、ＳＵ制御処理部１４に接続され、ＳＵ制御処理部１４の制御に従って、被監視者Ｏｂにおける所定の体動を測定する装置である。前記所定の体動は、本実施形態では、呼吸に伴う胸部の体表の動きであり、このため、体動測定部１１２は、例えば、ドップラセンサを備えて構成される。このドップラセンサは、送信波を送信し、物体で反射した前記送信波の反射波を受信し、前記送信波と前記反射波とに基づいてドップラ周波数成分のドップラ信号を出力する体動センサである。前記物体が動いている場合、いわゆるドップラ効果により前記物体の動いている速度に比例して反射波の周波数がシフトするため、送信波の周波数と反射波の周波数とに差（ドップラ周波数成分）が生じる。前記ドップラセンサは、このドップラ周波数成分の信号をドップラ信号として生成し、ＳＵ制御処理部１４へ出力する。前記送信波は、超音波やマイクロ波等であって良いが、本実施形態では、マイクロ波である。マイクロ波は、着衣を透過して被監視者Ｏｂの体表で反射できるため、被監視者Ｏｂが衣服を着ていても体表の動きを検知でき、好ましい。
【００２３】
ＳＵ音入出力部１２は、ＳＵ制御処理部１４に接続され、外部の音を取得してセンサ装置ＳＵに入力するための回路であって、ＳＵ制御処理部１４の制御に従って音を表す電気信号に応じた音を生成して出力するための回路である。ＳＵ音入出力部１２は、例えば、音の音響振動を電気信号に変換するマイクロホン等と、音の電気信号を音の音響振動に変換するスピーカ等とを備えて構成される。ＳＵ音入出力部１２は、外部の音を表す電気信号をＳＵ制御処理部１４へ出力し、また、ＳＵ制御処理部１４から入力された電気信号を音の音響振動に変換して出力する。
【００２４】
ナースコール受付操作部１３は、ＳＵ制御処理部１４に接続され、ナースコールを当該センサ装置ＳＵに入力するための例えば押しボタン式スイッチ等のスイッチ回路である。なお、ナースコール受付操作部１３は、有線でＳＵ制御処理部１４に接続されて良く、また、例えばＢｌｕｅｔｏｏｔｈ（登録商標）規格等の近距離無線通信でＳＵ制御処理部１４に接続されて良い。
【００２５】
ＳＵ通信ＩＦ部１５は、ＳＵ制御処理部１４に接続され、ＳＵ制御処理部１４の制御に従って通信を行うための通信回路である。ＳＵ通信ＩＦ部１５は、ＳＵ制御処理部１４から入力された転送すべきデータを収容した通信信号を、この被監視者監視支援システムＭＳのネットワークＮＷで用いられる通信プロトコルに従って生成し、この生成した通信信号をネットワークＮＷを介して他の装置ＳＶ、ＳＰ、ＴＡへ送信する。ＳＵ通信ＩＦ部１５は、ネットワークＮＷを介して他の装置ＳＶ、ＳＰ、ＴＡから通信信号を受信し、この受信した通信信号からデータを取り出し、この取り出したデータをＳＵ制御処理部１４が処理可能な形式のデータに変換してＳＵ制御処理部１４へ出力する。ＳＵ通信ＩＦ部１５は、例えば、ＩＥＥＥ８０２．１１規格等に従った通信インターフェース回路を備えて構成される。
【００２６】
ＳＵ記憶部１６は、ＳＵ制御処理部１４に接続され、ＳＵ制御処理部１４の制御に従って、各種の所定のプログラムおよび各種の所定のデータを記憶する回路である。前記各種の所定のプログラムには、例えば、センサ装置ＳＵの各部を当該各部の機能に応じてそれぞれ制御するＳＵ制御プログラムや、センサ部１１の出力に基づいて被監視者Ｏｂにおける所定の行動を検知して管理サーバ装置ＳＶへ通知し、前記検知した所定の行動に関わる所定の時間長の動画（イベント動画）を管理サーバ装置ＳＶへ送信する行動検知処理プログラムや、ナースコール受付操作部１３でナースコールを受け付けた場合にその旨を管理サーバ装置ＳＶへ通知し、前記ナースコールに関わる所定の時間長の動画（イベント動画）を管理サーバ装置ＳＶへ送信し、ＳＵ音入出力部１２等を用いることで端末装置ＳＰ、ＴＡとの間で音声通話を行うナースコール処理プログラムや、撮像部１１１で生成した動画を、その動画を要求した端末装置ＳＰ、ＴＡへストリーミングで配信するＳＵストリーミング処理プログラム等の制御処理プログラムが含まれる。前記各種の所定のデータには、自機の、センサ装置ＳＵを特定し識別するための識別子であるセンサ装置識別子（センサＩＤ）、および、管理サーバ装置ＳＶの通信アドレス等の各プログラムを実行する上で必要なデータ等が含まれる。ＳＵ記憶部１６は、例えば不揮発性の記憶素子であるＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。ＳＵ記憶部１６は、前記所定のプログラムの実行中に生じるデータ等を記憶するいわゆるＳＵ制御処理部１４のワーキングメモリとなるＲＡＭ（Ｒａｎｄｏｍ  Ａｃｃｅｓｓ  Ｍｅｍｏｒｙ）等を含む。
【００２７】
そして、本実施形態では、行動検知処理部１４２で前記所定の行動を検知した場合に、前記所定の行動の検知に関わる所定の時間長のイベント動画を保存するために、ＳＵ記憶部１６は、センサ側動画記憶部（ＳＵ動画記憶部）１６１を機能的に備える。ＳＵ動画記憶部１６１は、所定の時間長の動画を記憶するリングバッファである。前記所定の時間長は、例えば、１分、１分半、２分および３分等の数分である。なお、ＳＵ動画記憶部１６１に記憶された動画を管理サーバ装置ＳＶへ転送する処理に要する処理時間が考慮され、ＳＵ動画記憶部１６１は、前記所定の時間長に、例えば数秒のマージンを加えた動画を記憶できる記憶容量で構成されても良い。なお、前記イベント動画のうち、前記検知された所定の行動が事故イベント（本実施形態では転倒および体動停止）である場合のイベント動画は、「事故イベント動画」と呼称される。
【００２８】
ＳＵ制御処理部１４は、センサ装置ＳＵの各部を当該各部の機能に応じてそれぞれ制御し、被監視者Ｏｂに関わる所定のイベントを検知してこの検知した前記イベントを管理サーバ装置ＳＶへ通知し、端末装置ＳＰ、ＴＡとの間で音声通話を行い、動画を含む画像を生成して端末装置ＳＰ、ＴＡへ動画を配信するための回路である。ＳＵ制御処理部１４は、本実施形態では、前記生成された動画をＳＵ動画記憶部１６１に記憶する。ＳＵ制御処理部１４は、例えば、ＣＰＵ（Ｃｅｎｔｒａｌ  Ｐｒｏｃｅｓｓｉｎｇ  Ｕｎｉｔ）およびその周辺回路を備えて構成される。ＳＵ制御処理部１４は、前記制御処理プログラムが実行されることによって、センサ側制御部（ＳＵ制御部）１４１、行動検知処理部１４２、ナースコール処理部（ナースコール処理部）１４３およびセンサ側ストリーミング処理部（ＳＵストリーミング処理部）１４４を機能的に備える。
【００２９】
ＳＵ制御部１４１は、センサ装置ＳＵの各部を当該各部の機能に応じてそれぞれ制御し、センサ装置ＳＵの全体制御を司るものである。本実施形態では、ＳＵ制御部１４１は、センサ部１１の撮像部１１１で生成された動画をＳＵ記憶部１６のＳＵ動画記憶部１６１に記憶する。より具体的には、ＳＵ制御部１４１は、ＳＵ記憶部１６のＳＵ動画記憶部１６１として割り当てられた記憶領域の始めからその終わりまで、順次に、撮像部１１１で生成された動画を記憶し、前記記憶領域の終わりに達すると、前記記憶領域の始めに戻り、同様に、前記記憶領域の始めからその終わりまで、順次に、撮像部１１１で生成された動画を記憶し（上書きで記憶し）、以下、同様に繰り返す。これによってＳＵ動画記憶部１６１には、現時点から前記所定の時間長だけ過去分の動画が記憶される。
【００３０】
行動検知処理部１４２は、センサ部１１の出力に基づいて、被監視者Ｏｂにおける、予め設定された所定の行動を検知して管理サーバ装置ＳＶへ通知するものである。より具体的には、本実施形態では、前記所定の行動は、上述したように、起床、離床、転倒および体動停止である。これら起床、離床および転倒は、撮像部１１１の出力（対象画像）に基づいて検知され、前記体動停止は、体動測定部１１２の出力（ドップラ信号）に基づいて検知される。
【００３１】
より具体的には、行動検知処理部１４２は、例えば、予め記憶された寝具の所在領域から、撮像部１１で撮像した対象画像における寝具領域がはみ出しているはみ出し量に基づいて、起床を検出する。より詳しくは、まず、寝具ＢＴの所在領域、および、前記はみ出し量から起床を判定するための閾値（起床判定閾値）が前記各種の所定のデータの１つとして予めＳＵ記憶部１６が記憶される。前記起床判定閾値は、複数のサンプルを用いて予め適宜に設定される。そして、行動検知処理部１４２は、例えば背景差分法によって対象画像から、この対象画像における寝具領域を求める。次に、行動検知処理部１４２は、この求めた対象画像における寝具領域から、予め記憶された寝具の所在領域を減算することによって、前記はみ出し量を求める。次に、行動検知処理部１４２は、この求めたはみ出し量と、前記起床判定閾値とを比較する。この比較の結果、前記求めたはみ出し量が前記起床判定閾値未満である場合には、行動検知処理部１４２は、起床では無いと判定し、前記求めたはみ出し量が前記起床判定閾値以上である場合には、行動検知処理部１４２は、起床と判定し、前記起床を検知する。なお、前記起床判定閾値は、０であって良く、この場合、前記対象画像で僅かでもはみ出し量が求められれば起床と判定され、前記起床が検知される。
【００３２】
また例えば、行動検知処理部１４２は、予め記憶された寝具の所在領域と、撮像部１１で撮像した対象画像における人体領域との重なり量に基づいて、離床を検出する。より詳しくは、まず、寝具ＢＴの所在領域、および、前記重なり量から離床を判定するための閾値（離床判定閾値）が前記各種の所定のデータの１つとして予めＳＵ記憶部１６が記憶される。前記離床判定閾値は、複数のサンプルを用いて予め適宜に設定される。そして、行動検知処理部１４２は、対象画像から例えば背景差分法やフレーム差分法によって被監視者Ｏｂの人体領域として動体領域を抽出する。次に、行動検知処理部１４２は、この求めた対象画像における人体領域（動体領域）と、予め記憶された寝具の所在領域との重なり量を求める。次に、行動検知処理部１４２は、この求めた重なり量と前記離床判定閾値とを比較する。この比較の結果、前記求めた重なり量が前記離床判定閾値より大きい場合には、行動検知処理部１４２は、離床では無いと判定し、前記求めた重なり量が前記離床判定閾値以下である場合には、行動検知処理部１４２は、離床と判定し、前記離床を検知する。なお、前記離床判定閾値は、０であって良く、この場合、前記対象画像で重なり量が無くなった場合に離床と判定され、前記離床が検知される。
【００３３】
また例えば、行動検知処理部１４２は、予め記憶された寝具の所在領域を除く領域で、被監視者Ｏｂの頭部における大きさが変化する速度（頭部の変化速度）に基づいて被監視者Ｏｂの転倒を検知する。より詳しくは、まず、寝具ＢＴの所在領域、および、前記頭部の変化速度から転倒を判定するための閾値（転倒判定閾値）が前記各種の所定のデータの１つとして予めＳＵ記憶部１６が記憶される。前記転倒判定閾値は、複数のサンプルを用いて予め適宜に設定される。そして、行動検知処理部１４２は、対象画像から例えば背景差分法やフレーム差分法によって被監視者Ｏｂの人体領域として動体領域を抽出する。次に、行動検知処理部１４２は、この抽出した動体領域から、例えば円形や楕円形のハフ変換によって、また例えば予め用意された頭部のモデルを用いたパターンマッチングによって、また例えば頭部検出用に学習したニューラルネットワークによって、被監視者Ｏｂの頭部領域を抽出する。次に、行動検知処理部１４２は、この抽出した頭部領域と前回の検知処理で抽出した頭部領域とから、前記頭部の変化速度を求める。なお、立位姿勢における頭部の大きさから、倒れ込んだ横臥姿勢における頭部の大きさになるまでの間における各検知処理で抽出した各頭部領域の大きさの変化から、前記頭部の変化速度が求められても良い。次に、行動検知処理部１４２は、この求めた頭部の変化速度と前記転倒判定閾値とを比較する。この比較の結果、前記求めた頭部の変化速度が前記転倒判定閾値より小さい場合には、行動検知処理部１４２は、転倒では無いと判定し、前記求めた頭部の変化速度が前記転倒判定閾値以上である場合には、行動検知処理部１４２は、転倒と判定し、前記転倒を検知する。
【００３４】
そして、行動検知処理部１４２は、体動測定部１１２の出力に基づいて被監視者Ｏｂの体動停止を検知する。より詳しくは、まず、体動測定部１１２の出力から呼吸動作に伴う胸部の体表の動き（胸部の上下動）の有無を判定するための閾値（体表動き判定閾値）、および、前記体表の動きが無い継続時間長から体動停止を判定するための閾値（体動停止判定閾値）が前記各種の所定のデータの１つとして予めＳＵ記憶部１６が記憶される。前記体動停止判定閾値は、複数のサンプルを用いて予め適宜に設定される。そして、行動検知処理部１４２は、体動測定部１１２の出力と前記体表動き判定閾値とを比較する。この比較の結果、体動測定部１１２の出力が前記体表動き判定閾値より大きい場合には、行動検知処理部１４２は、前記体表の動きが有ると判定し、体動測定部１１２の出力が前記体表動き判定閾値以下である場合には、行動検知処理部１４２は、前記体表の動きが無いと判定し、以前の検知処理で判定された判定結果を参照することによって前記体表の動きが無いと判定され続けている継続時間を求める。次に、行動検知処理部１４２は、この求めた継続時間と前記体動停止判定閾値とを比較する。この比較の結果、前記求めた継続時間が前記体動停止判定閾値より小さい（短い）場合には、行動検知処理部１４２は、体動停止では無いと判定し、前記求めた継続時間が前記体動停止判定閾値以上である場合には、行動検知処理部１４２は、体動停止と判定し、前記体動停止を検知する。
【００３５】
なお、前記転落が検知される場合には、行動検知処理部１４２は、例えば、撮像部１１で撮像した対象画像に基づいて被監視者Ｏｂの頭部を検出し、この検出した被監視者Ｏｂの頭部における大きさの時間変化に基づいて被監視者Ｏｂの転落を検知する。より詳しくは、まず、寝具ＢＤの所在領域、および、寝具ＢＤの所在領域を除く居室ＲＭ内における横臥姿勢の頭部の大きさであるか否かを識別するための転落判定閾値が前記各種の所定のデータの１つとして予めＳＵ記憶部１６に記憶される。そして、行動検知処理部１４２は、上述の転倒の場合と同様に、対象画像から動体領域を抽出し、この抽出した動体領域から、被監視者Ｏｂの頭部領域を抽出する。行動検知処理部１４２は、この抽出した頭部の位置が寝具ＢＤの所在領域内から寝具ＢＤの所在領域外へ時間変化した場合であって、前記抽出した頭部の大きさが前記転落判定閾値を用いることによって或る大きさから横臥姿勢の大きさへ時間変化した場合には、転落と判定し、前記転落を検知する。
【００３６】
このように前記所定の行動を検知すると、行動検知処理部１４２は、被監視者Ｏｂに関わる所定のイベント（事象）の内容を表すイベント情報（事象情報）を収容した、前記イベントを通知するための通信信号（第１イベント通知通信信号）をＳＵ通信ＩＦ部１５で管理サーバ装置ＳＶへ通知する。より詳しくは、行動検知処理部１４２は、自機のセンサＩＤ、前記イベントの内容を表すイベント情報、前記所定の行動を検知する際に用いられた対象画像を収容した第１イベント通知通信信号を、ＳＵ通信ＩＦ部１５を介して管理サーバ装置ＳＶへ送信する。前記イベント情報は、本実施形態では、起床、離床、転倒、体動停止およびナースコール（ＮＣ）のうちの１または複数であり、ここでは、行動検知処理部１４２は、検知した起床、離床、転倒および体動停止のうちの１または複数を前記イベント情報として第１イベント通知通信信号に収容する。そして、前記所定の行動を検知すると、行動検知処理部１４２は、自機のセンサＩＤ、前記イベントの内容を表すイベント情報、前記検知したイベントに関わる所定の時間長のイベント動画を収容した通信信号（動画通知通信信号）を、ＳＵ通信ＩＦ部１５を介して管理サーバ装置ＳＶへ送信する。
【００３７】
なお、前記対象画像およびイベント動画それぞれは、少なくとも、前記検知したイベントが事故イベントである場合に、管理サーバ装置ＳＶへ送信されればよいが、本実施形態では、前記検知したイベントが事故イベントであるか否かにかかわらず、前記検知したイベントの全てに対し、管理サーバ装置ＳＶへ送信される。
【００３８】
ナースコール処理部１４３は、ナースコール受付操作部１３でナースコールを受け付けた場合にその旨を前記所定のイベントの他の一例として収容した第１イベント通知通信信号を管理サーバ装置ＳＶへ通知し、動画通知通信信号を管理サーバ装置ＳＶへ送信し、ＳＵ音入出力部１２等を用いることで端末装置ＳＰ、ＴＡとの間で音声通話を行うものである。より具体的には、ナースコール処理部１４３は、ナースコール受付操作部１３が入力操作されると、自機のセンサＩＤおよび前記イベント情報としてナースコールを収容した第１イベント通知通信信号をＳＵ通信ＩＦ部１５を介して管理サーバ装置ＳＶへ送信し、自機のセンサＩＤ、イベント情報としてのナースコール、前記ナースコールに関わる所定の時間長のイベント動画を収容した動画通知通信信号を、ＳＵ通信ＩＦ部１５を介して管理サーバ装置ＳＶへ送信する。そして、ナースコール処理部１４３は、ＳＵ音入出力部１２等を用い、端末装置ＳＰ、ＴＡとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００３９】
ＳＵストリーミング処理部１４４は、通信ＩＦ部３を介して固定端末装置ＳＰまたは携帯端末装置ＴＡから動画の配信の要求があった場合に、この要求のあった固定端末装置ＳＰまたは携帯端末装置ＴＡへ、撮像部１１で生成した動画（例えばライブの動画）をストリーミング再生でＳＵ通信ＩＦ部１５を介して配信するものである。
【００４０】
図１には、一例として、４個の第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置ＳＵ−４は、被監視者Ｏｂの一人であるＤさんＯｂ−４の居室ＲＭ−４（不図示）に配設されている。
【００４１】
管理サーバ装置ＳＶは、ネットワークＮＷを介して他の装置ＳＵ、ＴＡ、ＳＰと通信する通信機能を備え、センサ装置ＳＵから前記所定のイベントの通知を受けると、被監視者Ｏｂに対する監視に関する情報（監視情報（本実施形態では例えば前記所定のイベント（センサ装置ＳＵで検知した所定の行動の種類やセンサ装置ＳＵで受け付けたナースコール）、被監視者Ｏｂの静止画、および、前記通知を受けた時刻等））を管理し、前記所定のイベントを所定の端末装置ＳＰ、ＴＡへ通知（再通知、再報知、送信）し、クライアント（本実施形態では端末装置ＳＰ、ＴＡ等）の要求に応じたデータを前記クライアントに提供し、被監視者監視支援システムＭＳ全体を管理する装置（中央処理装置の一例）である。そして、本実施形態では、管理サーバ装置ＳＶは、予め用意され、前記事故の内容を記入するための、雛形の事故報告書書式に、予め設定された所定の事項を書き込むことによって、事故報告書を自動的に作成する。このような管理サーバ装置ＳＶは、例えば、図３に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００４２】
ＳＶ通信ＩＦ部２１は、ＳＵ通信ＩＦ部１５と同様に、ＳＶ制御処理部２２に接続され、ＳＶ制御処理部２２の制御に従って通信を行うための通信回路である。ＳＶ通信ＩＦ部２１は、例えばデータ通信カードや、ＩＥＥＥ８０２．１１規格等に従った通信インターフェース回路等である。後述から分かるように、このＳＶ通信ＩＦ部２１は、事故報告書に追記する追記内容を取得する追記内容取得部の一例に相当する。
【００４３】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、被監視者Ｏｂに対する監視に関する所定の情報処理を実行するＳＶ監視処理プログラムや、第１イベント通知通信信号でセンサ装置ＳＵから事故イベントの通知を受信した場合に、事故報告書を作成する事故報告書作成プログラムや、第１イベント通知通信信号でセンサ装置ＳＵから受信したイベントに関わる動画であって動画通知通信信号でセンサ装置ＳＵから受信した前記動画（イベント動画）を、後述のサーバ側動画記憶部（ＳＶ動画記憶部）２３６に記憶する動画処理プログラムや、予め設定された所定の時刻に、後述の事故報告書記憶部２３７に仮記憶されている事故報告書の存在を警告する警告処理プログラムや、年月日時分で計時する時計プログラム等の制御処理プログラムが含まれる。前記各種の所定のデータには、自機のサーバ識別子（サーバＩＤ）や、被監視者Ｏｂの前記監視情報や、装置間情報や、センサ情報や、事故報告書書式情報や、被監視者情報や、前記動画や、事故報告書等の各プログラムを実行する上で必要なデータ等が含まれる。前記サーバＩＤは、管理サーバ装置ＳＶを特定し管理サーバ装置ＳＶを識別するための識別子である。ＳＶ記憶部２３は、例えば不揮発性の記憶素子であるＲＯＭや書き換え可能な不揮発性の記憶素子であるＥＥＰＲＯＭ等を備える。ＳＶ記憶部２３は、前記所定のプログラムの実行中に生じるデータ等を記憶するいわゆるＳＶ制御処理部２２のワーキングメモリとなるＲＡＭ等を含む。そして、これら上述の監視情報、装置間情報、センサ情報、事故報告書書式情報、被監視者情報、動画および事故報告書それぞれを記憶するために、ＳＶ記憶部２３は、サーバ側監視情報記憶部（ＳＶ監視情報記憶部）２３１、装置間情報記憶部２３２、サーバ側センサ情報記憶部（ＳＶセンサ情報記憶部）２３３、書式情報記憶部２３４、被監視者情報記憶部２３５、サーバ側動画記憶部（ＳＶ動画記憶部）２３６および事故報告書記憶部２３７を機能的に備える。
【００４４】
ＳＶ監視情報記憶部２３１は、各装置ＳＵ、ＳＰ、ＴＡそれぞれとの間で送受信した被監視者Ｏｂの監視情報を記憶するものである。より具体的には、ＳＶ監視情報記憶部２３１には、本実施形態では、前記監視情報として、第１イベント通知通信信号等の通信信号に収容された各情報に基づいて、センサＩＤ、イベント情報（事象情報、本実施形態では、起床、離床、転倒、体動停止およびナースコール）、受信時刻、対象画像および対処の有無が互いに対応付けて記憶される。
【００４５】
この監視情報は、本実施形態では、テーブル形式でＳＶ監視情報記憶部２３１に記憶されている。この監視情報を登録するサーバ側監視情報テーブル（ＳＶ監視情報テーブル）ＭＴは、例えば、図４に示すように、各装置ＳＵ、ＳＰ、ＴＡから受信した通信信号に収容されたセンサＩＤを登録するセンサＩＤフィールド２３１１と、前記受信した通信信号に収容されたイベント情報を登録するイベントフィールド（事象フィールド）２３１２と、前記受信した通信信号の受信時刻を登録する受信時刻フィールド２３１３と、前記受信した通信信号に収容された前記静止画を登録する静止画フィールド２３１４と、ライブ動画の取得先として、前記受信した通信信号に収容されたセンサＩＤに対応するセンサ装置ＳＵの通信アドレス（例えばＩＰアドレス等）を登録する動画フィールド２３１５と、前記受信した通信信号に収容されたイベント情報に対する対応の受付の有無を登録する対応フィールド２３１６とを備え、前記受信した通信信号ごと（各イベントごと）にレコードを備える。静止画フィールド２３１４には、例えば、静止画の画像データが登録されて良く、また例えば、静止画の画像データのファイル名が登録されて良い。対応フィールド２３１６には、前記受信した通信信号に収容されたイベント情報に対する対処（対応、処置、措置）する意思がある旨を端末装置ＳＰ、ＴＡで受け付けたか否かを表すフラグ（対応フラグ）が登録される。例えば、本実施形態では、対応フィールド２３１６には、前記受信した通信信号に収容されたイベント情報（イベントフィールド２３１２に登録されたイベント情報）に対処する意思がある旨を端末装置ＳＰ、ＴＡで受け付けたことを意味する対応フラグ「１」、あるいは、前記受信した通信信号に収容されたイベント情報に対処する意思がある旨を端末装置ＳＰ、ＴＡで受け付けていないことを意味する対応フラグ「０」が登録される。なお、デフォルトでは、対応フィールド２３１６には、未受付を意味する対応フラグ「０」が登録される。なお、第１イベント通知通信信号に、前記所定の行動を検知した検知時刻または前記ナースコールを受け付けたナースコール受付時刻が収容されている場合には、受信時刻に代え、前記検知時刻または前記ナースコール受付時刻が登録されても良い。
【００４６】
装置間情報記憶部２３２は、前記装置間情報として、本実施形態では、通知先対応関係および通信アドレス対応関係等を記憶するものである。前記通知先対応関係は、センサ装置ＳＵから送信された第１イベント通知通信信号等の通知先（再通知先、再報知先、送信先）を示す、送信元であるセンサＩＤと通知先（再通知先）である端末ＩＤとの対応関係である。前記通信アドレス対応関係は、各装置ＳＵ、ＳＰ、ＴＡのＩＤ（センサＩＤ、端末ＩＤ）とその通信アドレスとの対応関係である。前記端末ＩＤ（端末識別子）は、端末装置ＳＰ、ＴＡを特定し端末装置ＳＰ、ＴＡを識別するための識別子である。
【００４７】
これら通知先対応関係および通信アドレス対応関係は、それぞれ、本実施形態では、テーブル形式で装置間情報記憶部２３２に記憶されている。この通知先対応関係を登録する通知先対応関係情報テーブルＡＴは、例えば、図５Ａに示すように、第１イベント通知通信信号等の送信元であるセンサ装置ＳＵのセンサＩＤを登録する送信元フィールド２３２１と、送信元フィールド２３２１に登録されたセンサＩＤに対応するセンサ装置ＳＵから通知されたイベント等を送信する送信先の端末装置ＳＰ、ＴＡの端末ＩＤを登録する通知先フィールド２３２２とを備え、センサＩＤ（センサ装置ＳＵ）ごとにレコードを備える。前記通信アドレス対応関係を登録する通信アドレス対応関係情報テーブルＤＴは、例えば、図５Ｂに示すように、端末装置ＳＰ、ＴＡの端末ＩＤを登録する端末ＩＤフィールド２３２３と、端末ＩＤフィールド２３２３に登録された端末ＩＤに対応する端末装置ＳＰ、ＴＡの通信アドレスを登録する通信アドレスフィールド２３２４とを備え、端末ＩＤ（端末装置ＳＰ、ＴＡ）ごとにレコードを備える。
【００４８】
なお、センサＩＤ、サーバＩＤおよび端末ＩＤそれぞれは、例えば所定の記号列から成るシリアル番号等であって良く、また例えば通信アドレスであって良い（この場合通信アドレス対応関係は省略できる）。また、通知先対応関係は、１個の端末装置ＳＰ、ＴＡに対して複数のセンサ装置ＳＵが対応付けられても良い（マルチキャストやブロードキャスト等の同報通信を含む）。
【００４９】
ＳＶセンサ情報記憶部２３３は、センサ装置ＳＵに関する、予め設定された所定の情報を前記センサ情報としてセンサ装置ＳＵに対応付けて記憶するものである。前記センサ情報は、少なくともセンサ装置ＳＵの配設場所を含み、本実施形態では、例えば、センサ装置ＳＵの配設場所および前記センサ装置ＳＵによって監視されている被監視者Ｏｂの被監視者名であり、ＳＶセンサ情報記憶部２３３には、これら配設場所および被監視者名がセンサＩＤに対応付けられて記憶されている。
【００５０】
このようなセンサ情報は、本実施形態では、テーブル形式でＳＶセンサ情報記憶部２３３に記憶される。より具体的には、センサ情報を登録するサーバ側センサ情報テーブル（ＳＶセンサ情報テーブル）ＳＴは、例えば、図６に示すように、センサＩＤを登録するセンサＩＤフィールド２３３１と、前記センサＩＤフィールド２３３１に登録されているセンサＩＤを持つセンサ装置ＳＵの配設場所を登録する配設場所フィールド２３３２と、前記センサＩＤフィールド２３３１に登録されているセンサＩＤを持つセンサ装置ＳＵによって監視される被監視者Ｏｂ（すなわち、前記センサＩＤフィールド２３３１に登録されているセンサＩＤを持つセンサ装置ＳＵの配設場所に居る被監視者Ｏｂ）の被監視者名を登録する被監視者名フィールド２３３３とを備え、センサＩＤ（すなわち、センサ装置ＳＵ）ごとにレコードを持つ。
【００５１】
書式情報記憶部２３４は、事故の内容を記入するための、雛形の書式である事故報告書書式を記憶するものである。図７には、事故報告書書式の一例が端末装置ＳＰ、ＴＡに表示される画面で示されている。
【００５２】
図７に示す例の事故報告書書式は、報告年月日記入領域６１１と、被監視者情報記入領域６１２と、利用状況記入領域６１３と、発生年月日記入領域６１４と、発生場所記入領域６１５と、報告者名記入領域６１６と、追記記入領域６１７と、検知時画像表示領域６１８と、動画リンク領域６１９とを備える。
【００５３】
前記報告年月日記入領域（報告年月日記入欄）６１１は、当該事故報告書を報告した年月日である報告年月日を記入する領域である。前記被監視者情報記入領域（被監視者情報記入欄）６１２は、被監視者Ｏｂに関する、予め設定された所定の情報である被監視者情報を記入する領域である。図７に示す例では、この被監視者情報記入領域６１２には、被監視者名（利用者氏名）、性別および年齢が前記被監視者情報として記入される。前記利用状況記入領域（利用状況記入欄）６１３は、センサ装置ＳＵが配設された施設に対する被監視者Ｏｂの利用状況を記入する領域である。図７に示す例では、この利用状況記入領域６１３には、被監視者Ｏｂが、前記施設の入所者であるか、前記施設の短期入所者であるか、前記施設のリハビリテーション利用者であるかの別が前記利用状況として記入される。前記発生年月日時分記入領域（報告年月日時分記入欄）６１４は、当該事故が発生した年月日時分を記入する領域である。前記発生場所記入領域（発生場所記入欄）６１５は、当該事故が発生した場所を記入する領域である。前記報告者名記入領域（報告者名記入欄）６１６は、当該事故報告書を報告した監視者の名を記入する領域である。前記追記記入領域（追記記入欄）６１７は、事故報告書が後述のように自動的に作成された後に、当該事故報告書に追記する事項（追記事項）を記入する領域である。図７に示す例では、この追記記入領域６１７には、事故による被監視者（利用者）Ｏｂへの影響、事故の種類および事故の発生状況が前記追記事項として記入される。前記検知時画像表示領域６１８は、第１イベント通知通信信号でセンサ装置ＳＵから受信した事故イベントと共に受信した、前記事故イベントの検知の際に撮像部１１１で生成された静止画（対象画像）、を表示する領域である。前記動画リンク領域６１９は、事故イベントに関わる所定の時間長の動画（事故イベント動画）との間に張られたリンクを表示する領域である。前記動画リンク領域６１９に表示されたリンクが入力操作されると、端末装置ＳＰ、ＴＡに新たなブラウザが立ち上がり、前記端末装置ＳＰ、ＴＡには、リンク先の事故イベント動画がダウンロードされて表示される。このような事故報告書書式は、例えばＨＴＬＭ（Ｈｙｐｅｒ  Ｔｅｘｔ  Ｍａｒｋｕｐ  Ｌａｎｇｕａｇｅ）やＸＭＬ（Ｅｘｔｅｎｓｉｂｌｅ  Ｍａｒｋｕｐ  Ｌａｎｇｕａｇｅ）等のマークアップ言語で記述された電子ファイルで、書式情報記憶部２３４に記憶される。
【００５４】
被監視者情報記憶部２３５は、被監視者Ｏｂに関する、予め設定された所定の情報を前記被監視者情報として前記被監視者Ｏｂに対応付けて記憶するものである。前記被監視者情報は、少なくとも被監視者の名、年齢および性別を含み、本実施形態では、これらが互いに対応付けられて被監視者情報記憶部２３５に記憶されている。
【００５５】
このような被監視者情報は、本実施形態では、テーブル形式で被監視者情報記憶部２３５に記憶される。より具体的には、被監視者情報を登録する被監視者情報テーブルＯｂＴは、例えば、図７に示すように、被監視者Ｏｂの名を登録する被監視者名フィールド２３５１と、前記被監視者名フィールド２３５１に登録されている被監視者名を持つ被監視者Ｏｂの年齢を登録する年齢フィールド２３５２と、前記被監視者名フィールド２３５１に登録されている被監視者名を持つ被監視者Ｏｂの性別を登録する性別フィールド２３５３と、前記被監視者名フィールド２３５１に登録されている被監視者名を持つ被監視者Ｏｂに関する備考を登録する備考フィールド２３５４とを備え、被監視者名（すなわち、被監視者Ｏｂ）ごとにレコードを持つ。前記備考フィールド２３５４には、例えば、前記被監視者Ｏｂが前記施設に入所した日付（入所日）や、前記被監視者Ｏｂにおける関係者の連絡先電話番号等が登録される。
【００５６】
なお、図８に破線で示すように、被監視者情報テーブルＯｂＴは、前記被監視者名フィールド２３５１に登録されている被監視者名を持つ被監視者Ｏｂを監視するセンサ装置ＳＵに割り当てられたセンサＩＤを登録するセンサＩＤフィールド２３５６をさらに備え、被監視者名（すなわち、被監視者Ｏｂ）にセンサＩＤ（すなわち、センサ装置ＳＵ）が対応付けられても良い。これによってセンサ情報テーブルＳＴを介することなく、センサＩＤを検索キーに、センサＩＤから直接的に被監視者名が検索できる。
【００５７】
ＳＶ動画記憶部２３６は、撮像部１１１で生成されたイベントに関わる所定の時間長のイベント動画をイベントごとに記憶するものである。本実施形態では、イベント動画のファイル（イベント動画ファイル）がＳＶ動画記憶部２３６に記憶され、ＳＶ動画記憶部２３６には、さらに、イベント動画のファイル名（イベント動画ファイル名）に、前記イベント動画の送信元であるセンサ装置ＳＵ（センサＩＤ）および前記イベント動画に対応付けられたイベント情報が互いに対応付けられて動画管理情報として記憶される。
【００５８】
このような動画管理情報は、本実施形態では、テーブル形式でＳＶ動画記憶部２３６に記憶されている。この動画管理情報を登録する動画管理情報テーブルＶＴは、例えば、図９に示すように、前記イベント動画の送信元であるセンサ装置ＳＵのセンサＩＤを登録するセンサＩＤフィールド２３６１と、前記イベント動画に対応付けられたイベント情報を登録するイベントフィールド２３６２と、前記イベント動画のファイル名を登録する動画ファイル名フィールド２３６３とを備え、イベント動画（イベント動画ファイル名）ごとにレコードを備える。前記イベント動画ファイルのファイル名は、適宜に設定されて良いが、例えば、「センサＩＤ＿年月日時分で表された動画通知通信信号の受信時刻．動画ファイルの拡張子」（一例では「ＳＵ１＿２０１７０５０８１９２１．ｍｐ４」等）で構成される。このようなファイル名では、動画とその生成したセンサ装置ＳＵおよび受信時刻それぞれとの対応付けがファイル名によって実施でき、また、１つの被監視者監視支援システムＭＳにおいて、ファイル名が重複することもない。
【００５９】
事故報告書記憶部２３７は、事故報告書を仮記憶または本記憶するものである。ＳＶ記憶部２３は、後述の事故報告書作成部２２３で後述のように自動的に作成された事故報告書を仮記憶する事故報告書仮記憶部と、前記仮記憶された事故報告書を本記憶する事故報告書本記憶部とを物理的にまたは機能的に別々に備えても良いが、本実施形態では、ＳＶ記憶部２３は、前記事故報告書仮記憶部と前記事故報告書本記憶部とを事故報告書記憶部２３７として一体で備え、前記事故報告書に対応付けられた、仮記憶であるか本記憶であるかを示すフラグ（記憶モードフラグ）を記憶することによって、前記事故報告書を仮記憶または本記憶している。より具体的には、本実施形態では、事故報告書のファイル（事故報告書ファイル）が事故報告書記憶部２３７に記憶され、事故報告書記憶部２３７には、さらに、事故報告書のファイル名に、前記事故報告書の作成の原因となった事故イベントの送信元であるセンサ装置ＳＵ（センサＩＤ）、前記事故イベントおよび前記記憶モードフラグが互いに対応付けられて事故報告書管理情報として記憶される。
【００６０】
このような事故報告書管理情報は、本実施形態では、テーブル形式で事故報告書記憶部２３７に記憶されている。この事故報告書管理情報を登録する報告書管理情報テーブルＲＴは、例えば、図１０に示すように、事故報告書のファイル名を登録する報告書ファイル名フィールド２３７３と、前記報告書ファイル名フィールド２３７３に登録されたファイル名を持つ事故報告書の作成の原因となった事故イベントの送信元であるセンサ装置ＳＵのセンサＩＤを登録するセンサＩＤフィールド２３７１と、前記報告書ファイル名フィールド２３７３に登録されたファイル名を持つ事故報告書の作成の原因となった前記事故イベント（イベント情報）を登録するイベントフィールド２３７２と、前記報告書ファイル名フィールド２３７３に登録されたファイル名を持つ事故報告書の記憶モードフラグを登録する記憶モードフラグフィールド２３７４とを備え、事故報告書（事故報告書ファイル名）ごとにレコードを備える。前記事故報告書ファイルのファイル名は、適宜に設定されて良いが、例えば、動画ファイルのファイル名に類似し、「センサＩＤ＿年月日時分で表された事故報告書の自動作成時刻．事故報告書ファイルの拡張子」（一例では「ＳＵ１＿２０１７０５０８１９２２．ＨＴＭ」等）で構成される。記憶モードフラグフィールド２３７４には、例えば、本実施形態では、事故報告書が事故報告書記憶部２３７に仮記憶されていることを意味する記憶モードフラグ「１」、あるいは、事故報告書が事故報告書記憶部２３７に本記憶されていることを意味する記憶モードフラグ「０」が登録される。
【００６１】
図３に戻って、ＳＶ制御処理部２２は、管理サーバ装置ＳＶの各部を当該各部の機能に応じてそれぞれ制御し、センサ装置ＳＵから前記所定のイベントの通知を受けると、被監視者Ｏｂに対する監視に関する監視情報を管理し、前記所定のイベントを所定の端末装置ＳＰ、ＴＡへ通知し、クライアントの要求に応じたデータを前記クライアントに提供し、管理サーバ装置ＳＶ全体を制御するための回路である。そして、本実施形態では、ＳＶ制御処理部２２は、センサ装置ＳＵから事故イベントの通知を受け付けると、前記事故報告書書式に前記所定の事項を書き込むことによって事故報告書を自動的に作成し、センサ装置ＳＵからイベント動画の通知を受け付けると、前記イベント動画を記憶し、事故報告書が仮記憶されていると、その存在を警告する。ＳＶ制御処理部２２は、例えば、ＣＰＵおよびその周辺回路を備えて構成される。ＳＶ制御処理部２２は、前記制御処理プログラムが実行されることによって、サーバ側制御部（ＳＶ制御部）２２１、サーバ側監視処理部（ＳＶ監視処理部）２２２、事故報告書作成部２２３、動画処理部２２４、警告処理部２２５および時計部２２６を機能的に備える。
【００６２】
ＳＶ制御部２２１は、管理サーバ装置ＳＶの各部を当該各部の機能に応じてそれぞれ制御し、管理サーバ装置ＳＶの全体制御を司るものである。
【００６３】
ＳＶ監視処理部２２２は、被監視者Ｏｂに対する監視に関する所定の情報処理を実行するものである。より具体的には、ＳＶ監視処理部２２２は、センサ装置ＳＵから前記所定のイベントの通知を受信すると被監視者Ｏｂに対する監視に関する監視情報を管理し、このイベントの種類に応じた通知条件で前記所定のイベントを所定の端末装置ＳＰ、ＴＡへ通知する。より詳しくは、ＳＶ監視処理部２２２は、センサ装置ＳＵから前記第１イベント通知通信信号を受信すると、この受信した第１イベント通知通信信号に収容された、被監視者Ｏｂに対する監視に関する監視情報をＳＶ監視情報記憶部２３１に記憶（記録）する。そして、ＳＶ監視処理部２２２は、この第１イベント通知通信信号を送信したセンサ装置ＳＵに対応する通知先（再通知先、報知先、転送先、送信先）へ第２イベント通知通信信号を送信する。前記第２イベント通知通信信号には、前記第１イベント通知通信信号に収容されたイベント情報が前記所定の行動（体動停止、転倒、離床および起床のうちの１または複数）である場合には、第１イベント通知通信信号に収容されたセンサＩＤ、イベント情報および対象画像、ならびに、動画のダウンロード先として、第１イベント通知通信信号に収容されたセンサＩＤを持つセンサ装置ＳＵに対応する通信アドレスが収容される。前記第１イベント通知通信信号に収容されたイベント情報が前記ナースコールである場合には、前記第２イベント通知通信信号には、第１イベント通知通信信号に収容されたセンサＩＤおよびイベント情報（ナースコール）が収容される。
【００６４】
事故報告書作成部２２３は、センサ装置ＳＵから事故イベントの通知を受信した場合に、時計部２２６で計時された現在の年月日時分、前記センサ装置ＳＵに対応付けられてセンサ情報記憶部２３３に記憶されたセンサ情報、および、前記センサ装置ＳＵに対応する被監視者Ｏｂに対応付けられて被監視者情報記憶部２３５に記憶された被監視者情報を、書式情報記憶部２３４に記憶された事故報告書書式に書き込むことによって、事故報告書を自動的に作成し、この自動的に作成した事故報告書を事故報告書記憶部２３７に仮記憶する。この事故報告書を自動的に作成する際に、事故報告書作成部２２３は、さらに、前記第１イベント通知通信信号でセンサ装置ＳＵから受信した前記事故イベントと共に受信した静止画（本実施形態では前記対象画像）を、前記事故報告書に貼り付ける。さらに、事故報告書作成部２２３は、動画通知通信信号で前記センサ装置ＳＵから事故イベント動画を受信した際に動画処理部２２４でＳＶ動画記憶部２３６に記憶された事故イベント動画を、この事故イベント動画に対応付けられた事故イベントと一致する事故イベントを前記センサ装置ＳＵから受信した際に作成された前記事故報告書に取り込む。この際に、事故報告書作成部２２３は、前記事故イベント動画を、前記事故報告書に埋め込む（前記事故イベント動画と前記事故報告書とを一体化して１つのファイルに纏める）ことによって、前記事故イベント動画を前記事故報告書に取り込んでも良いが、本実施形態では、事故報告書作成部２２３は、前記事故イベント動画と前記事故報告書との間にリンクを張ることによって、前記事故イベント動画を前記事故報告書に取り込む。そして、事故報告書作成部２２３は、さらに、事故報告書記憶部２３７に仮記憶されている事故報告書を指定して端末装置ＳＰ、ＴＡからＳＶ通信ＩＦ部２１で追記内容を取得した場合に、前記指定された事故報告書に、前記取得した追記内容を書き込み、前記書き込んだ事故報告書を事故報告書記憶部２３７に本記憶する。
【００６５】
動画処理部２２４は、第１イベント通知通信信号でセンサ装置ＳＵから受信したイベントに関わる動画であって動画通知通信信号でセンサ装置ＳＵから受信した前記動画（イベント動画）を、イベントごとにＳＶ動画記憶部２３６に記憶するものである。より具体的には、動画処理部２２４は、センサ装置ＳＵから前記動画通知通信信号を受信すると、この受信した動画通知通信信号に収容されたイベント動画（イベント動画ファイル）をＳＶ動画記憶部２３６に記憶し、ＳＶ動画記憶部２３６に記憶された動画管理情報テーブルＶＴに新たなレコードを作成し、この作成したレコードの各フィールド２３５６〜２４６３それぞれにそのセンサＩＤ、イベント情報およびイベント動画ファイル名それぞれを登録する。
【００６６】
警告処理部２２５は、所定の時刻に、事故報告書記憶部２３７に仮記憶されている事故報告書の存在を警告するものである。より具体的には、本実施形態では、警告処理部２２５は、事故報告書記憶部２３７に仮記憶されている事故報告書の存在の警告を固定端末装置ＳＰに表示させるための通信信号（警告通知通信信号）を、ＳＶ通信ＩＦ部２１で固定端末装置ＳＰへ送信する。この警告通知通信信号は、本実施形態では、事故報告書記憶部２３７に仮記憶されている事故報告書を消去するか否かを問い合わせるための通信信号でもあり、警告処理部２２５は、警告通知通信信号をＳＶ通信ＩＦ部２１で固定端末装置ＳＰへ送信することによって、前記警告の際に、前記事故報告書仮記憶部に仮記憶されている事故報告書を消去するか否かを問い合わせる。このため、この警告通知通信信号には、前記警告を固定端末装置ＳＰに所定時間だけ表示させる指示（命令、コマンド）、前記警告の対象である仮記憶の事故報告書におけるファイル名、および、前記仮記憶の事故報告書に対する前記問い合わせを固定端末装置ＳＰに前記所定時間だけ表示させる指示（命令、コマンド）が収容される。そして、警告処理部２２５は、自動的に作成され仮記憶されている事故報告書の消去の回答を管理サーバ装置ＳＶへ通知するための通信信号（消去要求通信信号）を固定端末装置ＳＰから受信した場合に、前記消去の回答のあった事故報告書を事故報告書記憶部２３７から消去する。この消去要求通信信号には、消去を要求する指示（命令、コマンド）および消去の対象である事故報告書のファイル名が収容される。前記消去要求通信信号は、前記消去の回答を収容する通信信号の一例である。
【００６７】
時計部２２６は、年月日時分を計時するものである。時計部２２６で計時された年月日時分は、上述のように、動画のファイル名の生成に用いられる他、例えば、通信信号の送信、その受信、および、データの記憶等のタイムスタンプに用いられる。
【００６８】
なお、管理サーバ装置ＳＶは、図３に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データおよび被監視者Ｏｂに対する監視に関する監視情報等を出力するサーバ側出力部（ＳＶ出力部）２５、および、外部機器との間でデータの入出力を行うサーバ側インターフェース部（ＳＶＩＦ部）２６等を備えても良い。なお、管理サーバ装置ＳＶがＳＶ出力部２５をさらに備える場合には、前記警告は、ＳＶ出力部２５に出力されて良く、管理サーバ装置ＳＶがＳＶ入力部２４をさらに備える場合には、前記消去の回答は、ＳＶ入力部２４で取得されても良い。また、管理サーバ装置ＳＶがＳＶ入力部２４をさらに備える場合には、前記追記内容は、ＳＶ入力部２４で受け付けられて良く、このＳＶ入力部２４は、事故報告書に追記する追記内容を取得する追記内容取得部の他の一例に相当する。
【００６９】
このような管理サーバ装置ＳＶは、例えば、通信機能付きのコンピュータによって構成可能である。
【００７０】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、管理サーバ装置ＳＶからの通知によってセンサ装置ＳＵで得られた監視情報を表示したり等することによって、被監視者監視支援システムＭＳのユーザインターフェース（ＵＩ）として機能する機器である。このような固定端末装置ＳＰは、例えば、通信機能付きのコンピュータによって構成可能である。
【００７１】
本実施形態では、前記警告は、管理サーバ装置ＳＶから警告通知通信信号を固定端末装置ＳＰへ送信することによって、固定端末装置ＳＰに表示され、前記消去の回答は、固定端末装置ＳＰで受け付けられ、固定端末装置ＳＰから消去要求通信信号を管理サーバ装置ＳＶへ送信することによって、管理サーバ装置ＳＶで取得される。より具体的には、固定端末装置ＳＰは、前記警告通知通信信号を受信すると、例えば「仮記憶の事故報告書があります」等の前記警告を表すメッセージ（警告メッセージ）、仮記憶の事故報告書のファイル名の一覧、「仮記憶の事故報告書を消去しますか」等の前記問い合わせを表すメッセージ（消去問い合わせメッセージ）、消去の指示を受け付けるボタン（「消去」ボタン）、および、メニュー画面の表示の指示を受け付けるボタン（「メニュー」ボタン）を備える警告画面を表示する。前記「メニュー」ボタンの入力操作を受け付けると、固定端末装置ＳＰは、前記メニュー画面を表示する。一覧で表示された仮記憶の事故報告書のファイル名を指定して前記「消去」ボタンの入力操作を受け付けると、前記指定された事故報告書のファイル名を収容した消去要求通信信号を管理サーバ装置ＳＶへ送信する。
【００７２】
固定端末装置ＳＰは、後述のように、事故報告書を指定して追記内容の入力を受け付けると、前記指定された事故報告書のファイル名および前記追記内容を収容した通信信号（追記通知通信信号）を管理サーバ装置ＳＶへ送信する。
【００７３】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力したり、管理サーバ装置ＳＶからの通知によってセンサ装置ＳＵで得られた前記監視情報を表示したり、センサ装置ＳＵとの間で音声通話によってナースコールの応答や声かけしたり等するための機器である。このような携帯端末装置ＴＡは、例えば、通信機能付きのタブレット型コンピュータや、いわゆるスマートフォンによって構成可能である。
【００７４】
次に、本実施形態の動作について説明する。このような被監視者監視支援システムＭＳでは、各装置ＳＵ、ＳＶ、ＳＰ、ＴＡは、電源が投入されると、必要な各部の初期化を実行し、その稼働を始める。センサ装置ＳＵでは、その制御処理プログラムの実行によって、ＳＵ制御処理部１４には、ＳＵ制御部１４１、行動検知処理部１４２、ナースコール処理部１４３およびＳＵストリーミング処理部１４４が機能的に構成される。管理サーバ装置ＳＶでは、その制御処理プログラムの実行によって、ＳＶ制御処理部２２には、ＳＶ制御部２２１、ＳＶ監視処理部２２２、事故報告書作成部２２３、動画処理部２２４、警告処理部２２５および時計部２２６が機能的に構成される。
【００７５】
まず、センサ装置ＳＵの動作について説明する。図１１は、前記センサ装置の動作を示すフローチャートである。
【００７６】
センサ装置ＳＵは、その稼働を始めると、ＳＵ制御処理部１４のＳＵ制御部１４１によって、センサ部１１を稼働させ、センサ部１１の撮像部１１１で生成された動画を、リングバッファのＳＵ動画記憶部１６１に、上述のように記憶する。これによってＳＵ動画記憶部１６１には、現時点から前記所定の時間長だけ過去分の動画が記憶される。そして、センサ装置ＳＵは、各フレームごとに、あるいは、数フレームおきに、次のように動作することで、被監視者Ｏｂにおける所定の動作を検知し、また、ナースコールの受付の有無を判定している。
【００７７】
図１１において、まず、センサ装置ＳＵは、ＳＵ制御処理部１４のＳＵ制御部１４１によって、センサ部１１の撮像部１１１から１フレーム分の画像（画像データ）を前記対象画像として取得する（Ｓ１０）。
【００７８】
次に、センサ装置ＳＵは、ＳＵ制御処理部１４の行動検知処理部１４２によって、被監視者Ｏｂにおける所定の行動のうちの対象画像に基づいて検知できる第１行動を検知する第１行動検知処理を前記処理Ｓ１０で取得した対象画像に基づいて実行し、その第１検知結果をＳＵ記憶部１６に記憶する（Ｓ１１）。本実施形態では、前記第１行動は、起床、離床および転倒であり、行動検知処理部１４２は、起床の成否を判定し、離床の成否を判定し、そして、転倒の成否を判定する。
【００７９】
次に、センサ装置ＳＵは、ＳＵ制御処理部１４のＳＵ制御部１４１によって、センサ部１１の体動測定部１１２の出力を取得する（Ｓ１２）。
【００８０】
次に、センサ装置ＳＵは、ＳＵ制御処理部１４の行動検知処理部１４２によって、被監視者Ｏｂにおける所定の行動のうちの体動測定部１１２の出力に基づいて検知できる第２行動を検知する第２行動検知処理を前記処理Ｓ１２で取得した体動測定部１１２の出力に基づいて実行し、その第２検知結果をＳＵ記憶部１６に記憶する（Ｓ１３）。本実施形態では、前記第２行動は、体動停止であり、行動検知処理部１４２は、体動停止の成否を判定する。
【００８１】
次に、センサ装置ＳＵは、行動検知処理部１４２によって、処理Ｓ１１および処理Ｓ１３でＳＵ記憶部１６に記憶された第１検知結果および第２検知結果に基づいて、被監視者Ｏｂにおける前記所定の行動が検知されたか否かを判定する（Ｓ１４）。この判定の結果、前記所定の行動が検知されていない場合（Ｎｏ）には、センサ装置ＳＵは、次に、処理Ｓ１７を実行し、一方、前記所定の行動が検知されている場合（Ｙｅｓ）には、センサ装置ＳＵは、次の処理Ｓ１５を実行する。
【００８２】
この処理Ｓ１５では、センサ装置ＳＵは、行動検知処理部１４２によって、前記所定の行動の検知の前後における所定の時間長のイベント動画を管理サーバ装置ＳＶへ送信するための第１準備処理を実行する（Ｓ１５）。より具体的には、行動検知処理部１４２は、前記所定のイベント（ここでは前記所定の行動）の検知後に必要とされる、予め設定された動画の時間長でセットしたタイマーを、前記検知した所定のイベントと対応付けて生成し、この生成したタイマーをスタートさせる。例えば、ＳＵ動画記憶部１６１が約２分半（約２分３０秒）の動画を記憶し、前記所定のイベントの検知前に約３０秒の動画と前記所定のイベントの検知後に約２分の動画とから成る約２分半のイベント動画が生成される場合、２分でタイムアップするタイマーが生成され、スタートされる。また例えば、ＳＵ動画記憶部１６１が約３分の動画を記憶し、前記所定のイベントの検知前後に約１分半ずつの各動画から成る約３分のイベント動画が生成される場合、１分半でタイムアップするタイマーが生成され、スタートされる。また例えば、ＳＵ動画記憶部１６１が約２分の動画を記憶し、前記所定のイベントの検知前に約３０秒の動画と前記所定のイベントの検知後に約１分半の動画とから成る約２分のイベント動画が生成される場合、１分半でタイムアップするタイマーが生成され、スタートされる。
【００８３】
この処理Ｓ１５の次に、前記検知された所定の行動を管理サーバ装置ＳＶを介して所定の端末装置ＳＰ、ＴＡへ通知するために、センサ装置ＳＵは、行動検知処理部１４２によって、前記所定のイベントとして前記所定の行動の検知に関する第１イベント通知通信信号を管理サーバ装置ＳＶへ送信し（Ｓ１６）、次に、処理Ｓ１７を実行する。より具体的には、行動検知処理部１４２は、自機のセンサＩＤ、イベント情報（ここでは起床、離床、転倒および体動停止のうちの１または複数）および対象画像を収容した第１イベント通知通信信号を、ＳＵ通信ＩＦ部１５を介して管理サーバ装置ＳＶへ送信する。
【００８４】
前記処理Ｓ１７では、センサ装置ＳＵは、ナースコール処理部１４３によって、ナースコールを受け付けているか否かを判定する。すなわち、図１１に示す処理Ｓ１０ないし処理Ｓ１９は、各フレームごとに、あるいは、数フレームおきに、繰り返し実行されるが、前回における処理Ｓ１７の実行から今般における処理Ｓ１７の実行までの間に、ナースコール受付操作部１３が操作されたか否かが判定される。この判定の結果、ナースコール受付操作部１３が操作されず、ナースコールを受け付けていない場合（Ｎｏ）には、センサ装置ＳＵは、今回の本処理を終了し、一方、ナースコール受付操作部１３が操作され、ナースコールを受け付けている場合（Ｙｅｓ）には、センサ装置ＳＵは、処理Ｓ１８および処理Ｓ１９を順次に実行した後に、今回の本処理を終了する。
【００８５】
この処理Ｓ１８では、センサ装置ＳＵは、ナースコール処理部１４３によって、前記ナースコールの検知の前後における所定の時間長のイベント動画を管理サーバ装置ＳＶへ送信するための第２準備処理を実行する。より具体的には、ナースコール処理部１４３は、上述の処理Ｓ１５と同様に、前記所定のイベント（ここではナースコール）の検知後に必要とされる、予め設定された動画の時間長でセットしたタイマーを、前記検知したナースコールと対応付けて生成し、この生成したタイマーをスタートさせる。
【００８６】
この処理Ｓ１８の次に、処理Ｓ１９では、処理Ｓ１７でその受付が判明したナースコールを管理サーバ装置ＳＶを介して所定の端末装置ＳＰ、ＴＡへ報知するために、センサ装置ＳＵは、ナースコール処理部１４３によって、前記所定のイベントとしてナースコールに関する第１イベント通知通信信号を管理サーバ装置ＳＶへ送信し、今回の本処理を終了する。より具体的には、ナースコール処理部１４３は、自機のセンサＩＤおよびイベント情報（ここではナースコール）を収容した第１イベント通知通信信号を、ＳＵ通信ＩＦ部１５を介して管理サーバ装置ＳＶへ送信する。
【００８７】
一方、処理Ｓ１５で生成したタイマーがタイムアップすると、センサ装置ＳＵは、行動検知処理部１４２によって、ＳＵ動画記憶部１６１に記憶されている動画を１つの動画ファイルとしたイベント動画（イベント動画ファイル）を生成する。次に、センサ装置ＳＵは、行動検知処理部１４２によって、自機のセンサＩＤ、前記イベント情報としての、当該タイマーに対応付けられた前記検知した所定の行動、および、この生成したイベント動画を収容した動画通知通信信号を管理サーバ装置ＳＶ宛に生成し、この生成した動画通知通信信号を管理サーバ装置ＳＶへ送信する。
【００８８】
処理Ｓ１８で生成したタイマーがタイムアップすると、センサ装置ＳＵは、ナースコール処理部１４３によって、ＳＵ動画記憶部１６１に記憶されている動画を１つの動画ファイルとしたイベント動画（イベント動画ファイル）を生成する。次に、センサ装置ＳＵは、ナースコール処理部１４３によって、自機のセンサＩＤ、前記イベント情報としての、当該タイマーに対応付けられた前記検知したナースコール、および、この生成したイベント動画を収容した動画通知通信信号を管理サーバ装置ＳＶ宛に生成し、この生成した動画通知通信信号を管理サーバ装置ＳＶへ送信する。
【００８９】
被監視者Ｏｂにおける所定の行動の検知やナースコールの受付それぞれに関し、センサ装置ＳＵは、以上のように動作している。
【００９０】
次に、管理サーバ装置ＳＶの動作について説明する。図１２は、前記管理サーバ装置の動作を示すフローチャートである。図１３は、図１１に示すフローチャートにおける監視情報処理の動作を示すフローチャートである。図１４は、図１１に示すフローチャートにおける動画保存処理の動作を示すフローチャートである。図１５は、図１１に示すフローチャートにおける追記処理の動作を示すフローチャートである。図１６は、図１１に示すフローチャートにおける消去処理の動作を示すフローチャートである。図１７は、前記管理サーバ装置によって自動的に作成された事故報告遺書の一例を示すフローチャートである。図１８は、前記管理サーバ装置において、警告処理の動作を示すフローチャートである。
【００９１】
図１２において、管理サーバ装置ＳＶは、ＳＶ制御処理部２２のＳＶ制御部２２１によって、ＳＶ通信ＩＦ部２１で通信信号を受信したか否かを判定する（Ｓ２１）。この判定の結果、通信信号を受信していない場合（Ｎｏ）には、管理サーバ装置ＳＶは、処理をＳ２１に戻し、前記判定の結果、通信信号を受信している場合（Ｙｅｓ）には、管理サーバ装置ＳＶは、次の処理Ｓ２２を実行する。すなわち、管理サーバ装置ＳＶは、通信信号の受信を待ち受けている。
【００９２】
処理Ｓ２２では、管理サーバ装置ＳＶは、ＳＶ制御部２２１によって、この受信した通信信号の種類を判定する。この判定の結果、管理サーバ装置ＳＶは、前記受信した通信信号が第１イベント通知通信信号である場合（第１イベント通知）には、処理Ｓ２３を実行した後に処理Ｓ２８を実行し、前記受信した通信信号が動画通知通信信号である場合（動画通知）には、処理Ｓ２４を実行した後に処理Ｓ２８を実行し、前記受信した通信信号が追記通知通信信号である場合（追記通知）には、処理Ｓ２５を実行した後に処理Ｓ２８を実行し、前記受信した通信信号が消去要求通信信号である場合（消去要求）には、処理Ｓ２６を実行した後に処理Ｓ２８を実行し、そして、前記受信した通信信号がこれら第１イベント通知通信信号、動画通知通信信号、追記通知通信信号および消去要求通信信号ではない場合（その他）には、処理Ｓ２７を実行した後に処理Ｓ２８を実行する。
【００９３】
処理Ｓ２３では、管理サーバ装置ＳＶは、ＳＶ制御処理部２２のＳＶ監視処理部２２２によって、処理Ｓ２１でセンサ装置ＳＵから受信した第１イベント通知通信信号を処理する監視情報の処理を実行する。
【００９４】
より具体的には、図１３において、まず、ＳＶ監視処理部２２２は、前記処理Ｓ２１でセンサ装置ＳＵから受信した第１イベント通知通信信号に収容された、被監視者Ｏｂに対する監視に関する監視情報をＳＶ監視情報記憶部２３１に記憶（記録）する（Ｓ２３１）。
【００９５】
次に、ＳＶ監視処理部２２２は、前記処理Ｓ２１で受信した第１イベント通知通信信号に起因する第２イベント通知通信信号を所定の端末装置ＳＰ、ＴＡへ送信する（Ｓ２３２）。より具体的には、ＳＶ監視処理部２２２は、まず、前記処理Ｓ２１で受信した第１イベント通知通信信号を送信したセンサ装置ＳＵに対応する通知先（送信先）を、装置間情報記憶部２３２に記憶された前記通知先対応関係から選定（検索）する。より詳しくは、ＳＶ監視処理部２２２は、装置間情報記憶部２３２に記憶された通知先対応関係情報テーブルＡＴの送信元フィールド２３２１に、前記処理Ｓ２１で受信した第１イベント通知通信信号を送信したセンサ装置ＳＵのセンサＩＤ（この第１イベント通知通信信号に収容されたセンサＩＤ）を登録するレコードを選定し、この選定したレコードの通知先フィールド２３２２に登録された端末ＩＤを取り出す。この取り出された端末ＩＤの端末装置ＳＰ、ＴＡが、前記通知先であり、この取り出された端末ＩＤに対応する通信アドレスが装置間情報記憶部２３２に記憶された通信アドレス対応関係情報テーブルＤＴから取り出される。次に、ＳＶ監視処理部２２２は、前記取り出した端末ＩＤの端末装置ＳＰ、ＴＡを送信先とした第２イベント通知通信信号を生成する。前記第１イベント通知通信信号に収容されたイベント情報が前記所定の行動（本実施形態では、起床、離床、転倒および体動停止のうちの１または複数）である場合には、前記第２イベント通知通信信号には、第１イベント通知通信信号に収容されたセンサＩＤ、イベント情報および対象画像、ならびに、動画のダウンロード先として、第１イベント通知通信信号に収容されたセンサＩＤを持つセンサ装置ＳＵに対応する通信アドレスが収容される。前記第１イベント通知通信信号に収容されたイベント情報が前記ナースコールである場合には、前記第２イベント通知通信信号には、第１イベント通知通信信号に収容されたセンサＩＤおよびイベント情報が収容される。そして、ＳＶ監視処理部２２２は、このように生成した第２イベント通知通信信号をＳＶ通信ＩＦ部２１で送信する。
【００９６】
次に、管理サーバ装置ＳＶは、ＳＶ制御処理部２２の事故報告書作成部２２３によって、処理Ｓ２１でセンサ装置ＳＵから受信した第１イベント通知通信信号で通知されたイベントが事故イベントであるか否かを判定する（Ｓ２３３）。この判定は、前記処理Ｓ２１で受信した第１イベント通知通信信号に収容されたイベント情報に基づいて実施される。この判定の結果、前記第１イベント通知通信信号に収容されたイベント情報が転倒および体動停止のうちの少なくともいずれかを含む場合には、前記第１イベント通知通信信号で通知されたイベントが事故イベントであると判定し（Ｙｅｓ）、次の処理Ｓ２３４および処理Ｓ２３５を順次に実行し、本処理を終了する。一方、前記判定の結果、前記第１イベント通知通信信号に収容されたイベント情報が転倒および体動停止のいずれも含まない場合には、前記第１イベント通知通信信号で通知されたイベントが事故イベントではないと判定し（Ｎｏ）、本処理を終了する。
【００９７】
前記処理Ｓ２３４では、管理サーバ装置ＳＶは、事故報告書作成部２２３によって、事故報告書を作成する。より具体的には、事故報告書作成部２２３は、まず、時計部２２６から現在の年月日時分を取得する。次に、事故報告書作成部２２３は、前記処理Ｓ２１で受信した第１イベント通知通信信号を送信したセンサ装置ＳＵに対応付けられてＳＶ記憶部２３のセンサ情報記憶部２３３に記憶されたセンサ情報を取得する。より詳しくは、事故報告書作成部２２３は、センサ情報記憶部２３３に記憶されたセンサ情報テーブルＳＴのセンサＩＤフィールド２３３１に、前記処理Ｓ２１で受信した第１イベント通知通信信号を送信したセンサ装置ＳＵのセンサＩＤ（この第１イベント通知通信信号に収容されたセンサＩＤ）を登録するレコードを選定し、この選定したレコードにおける配設場所フィールド２３３２および被監視者名フィールド２３３３それぞれに登録された配設場所および被監視者名それぞれを取り出す。次に、事故報告書作成部２２３は、前記処理Ｓ２１で受信した第１イベント通知通信信号を送信したセンサ装置ＳＵに対応する被監視者に対応付けられてＳＶ記憶部２３の被監視者情報記憶部２３５に記憶された被監視者情報を取得する。より詳しくは、事故報告書作成部２２３は、被監視者情報記憶部２３５に記憶された被監視者情報テーブルＯｂＴの被監視者名フィールド２３５１に、センサ情報テーブルＳＴから取り出した被監視者名を登録するレコードを選定し、この選定したレコードにおける年齢フィールド２３５２、性別フィールド２３５３および利用状況フィールド２３５４それぞれに登録された年齢、性別および利用状況それぞれを取り出す。なお、上述したように、被監視者情報テーブルＯｂＴがセンサＩＤフィールド２３５６をさらに備える場合には、事故報告書作成部２２３は、この第１イベント通知通信信号に収容されたセンサＩＤを検索キーに使い、被監視者情報を取り出しても良い。次に、事故報告書作成部２２３は、ＳＶ記憶部２３の書式情報記憶部２３４から事故報告書書式を取り出す。次に、事故報告書作成部２２３は、この取り出した事故報告書書式に、前記取得した現在の年月日時分を書き込み、前記取り出したセンサ情報を書き込み、前記取り出した被監視者情報を書き込み、前記第１イベント通知通信信号に収容された静止画（対象画像）を貼り付ける。より詳しくは、図７に示す例の事故報告書書式６１の場合では、事故報告書作成部２２３は、前記取り出した被監視者名、年齢および性別を被監視者情報記入領域６１２に記入し、前記取り出した利用状況を利用状況記入領域６１３に記入し、前記取得した現在の年月日時分を発生年月日記入領域６１４に記入し、前記取り出した配設場所を発生場所記入領域６１５に記入し、そして、前記第１イベント通知通信信号に収容された静止画（対象画像）を検知時画像表示領域６１８に貼り付ける。これによって事故報告書（事故報告書ファイル）が事故報告書作成部２２３によって自動的に作成される。その一例が図１７に示されている。なお、図７に示す事故報告書書式６１の例では、上記説明および図１７から分かるように、第１イベント通知通信信号で事故イベントが通知されたことにより事故報告書が自動的に作成されたこの時点では、報告年月日記入領域６１１、報告者名記入領域６１６および追記記入領域６１７それぞれには、記入が無く、動画リンク領域６１９にも、事故イベント動画との間でリンクが張られていない。これら報告年月日記入領域６１１の記入事項、報告者名記入領域６１６の記入事項および追記記入領域６１７の記入事項が追記の対象となる。
【００９８】
そして、前記処理Ｓ２３４の次の処理Ｓ２３５では、管理サーバ装置ＳＶは、事故報告書作成部２２３によって、処理Ｓ２３４で作成した事故報告書（事故報告書ファイル）を事故報告書記憶部２３７に、処理Ｓ２１で受信した第１イベント通知通信信号の送信元であるセンサ装置ＳＵ、および、この第１イベント通知通信信号で通知された事故イベント（処理Ｓ２１で受信した第１イベント通知通信信号に収容されたセンサＩＤおよびイベント情報）と対応付けて仮記憶する。より具体的には、事故報告書作成部２２３は、処理Ｓ２３４で作成した事故報告書に対しファイル名を生成し、処理Ｓ２３４で作成した事故報告書を事故報告書記憶部２３７に記憶する。そして、事故報告書作成部２２３は、事故報告書記憶部２３７に記憶されている報告書管理情報テーブルＲＴに新たなレコードを作成し、この作成したレコードの各フィールド２３７１〜２４７４それぞれに、前記第１イベント通知通信信号に収容されたセンサＩＤおよびイベント情報、前記生成した事故報告書のファイル名、ならびに、記憶モードフラグそれぞれを登録する。ここでは、仮記憶であるため、記憶モードフラグフィールド２３７４には、仮記憶を意味する記憶モードフラグ「１」が登録される。
【００９９】
管理サーバ装置ＳＶは、このように監視情報の処理Ｓ２３を実行する。
【０１００】
図１２に戻って、処理Ｓ２４では、管理サーバ装置ＳＶは、ＳＶ制御処理部２２によって、前記処理Ｓ２１で受信した動画通知通信信号に収容されたイベント動画を記憶するイベント動画の記憶の処理を実行する。
【０１０１】
より具体的には、図１４において、まず、管理サーバ装置ＳＶは、ＳＶ制御処理部２２の動画処理部２２４によって、前記処理Ｓ２１で受信した動画通知通信信号に収容されたイベント動画（イベント動画ファイル）をＳＶ動画記憶部２３６に記憶する（Ｓ２４１）。より具体的には、動画処理部２２４は、前記処理Ｓ２１で受信した動画通知通信信号に収容されたイベント動画に対しそのファイル名を生成し、前記処理Ｓ２１で受信した動画通知通信信号に収容されたイベント動画をＳＶ動画記憶部２３６に記憶する。次に、動画処理部２２４は、ＳＶ動画記憶部２３６に記憶されている動画管理情報テーブルＶＴに新たなレコードを生成し、この新たに生成したレコードにおける各フィールド２３６１〜２３６３それぞれに、前記処理Ｓ２１で受信した動画通知通信信号に収容されたセンサＩＤおよびイベント情報、ならびに、前記生成したイベント動画のファイル名それぞれを登録する。
【０１０２】
次に、管理サーバ装置ＳＶは、ＳＶ制御処理部２２の事故報告書作成部２２３によって、前記処理Ｓ２１で受信した動画通知通信信号に収容されたイベント動画が事故イベント動画であるか否かを判定する。この判定の結果、前記動画通知通信信号に収容されたイベント情報が転倒および体動停止のうちの少なくともいずれかを含む場合には、管理サーバ装置ＳＶは、前記動画通知通信信号で通知されたイベント動画が事故イベント動画であると判定し（Ｙｅｓ）、次の処理Ｓ２４３ないし処理Ｓ２４５を順次に実行し、本処理を終了する。一方、前記判定の結果、前記動画通知通信信号に収容されたイベント情報が転倒および体動停止のいずれも含まない場合には、管理サーバ装置ＳＶは、前記動画通知通信信号で通知されたイベント動画が事故イベント動画ではないと判定し（Ｎｏ）、本処理を終了する。
【０１０３】
前記処理Ｓ２４３では、管理サーバ装置ＳＶは、事故報告書作成部２２３によって、前記処理Ｓ２１で受信した動画通知通信信号に収容されたイベント動画との間でリンクを張る事故報告書を事故報告書記憶部２３７から選定（検索）し、取り出す。より具体的には、事故報告書作成部２２３は、処理Ｓ２４１で動画処理部２２４によってＳＶ動画記憶部２３６に記憶された事故イベント動画に対応付けられた事故イベントと一致する事故イベントをセンサ装置ＳＵから受信した際に、処理Ｓ２３で作成された事故報告書を事故報告書記憶部２３７から選定（検索）する。より詳しくは、事故報告書作成部２２３は、事故報告書記憶部２３７に記憶された報告書管理情報テーブルＲＴにおけるセンサＩＤフィールド２３７１およびイベントフィールド２３７２それぞれに、前記処理Ｓ２１で受信した動画通知通信信号に収容されたセンサＩＤおよびイベント情報それぞれを登録するレコードを検索し、この検索したレコードにおける報告書ファイル名フィールド２３７３に登録された事故報告書のファイル名を取り出し、この取り出したファイル名を持つ事故報告書を事故報告書記憶部２３７から取り出す。
【０１０４】
前記処理Ｓ２４３の次の処理Ｓ２４４では、管理サーバ装置ＳＶは、事故報告書作成部２２３によって、この選定した事故報告書に、前記事故イベント動画を取り込む。より具体的には、本実施形態では、事故報告書作成部２２３は、前記処理Ｓ２４３で選定されて取り出された事故報告書ファイルと、処理Ｓ２４１で動画処理部２２４によってＳＶ動画記憶部２３６に記憶された事故イベント動画と、の間に、リンク（ハイパーリンク）を張る。すなわち、事故報告書作成部２２３は、この取り出した事故報告書ファイルの動画リンク領域６１９に、処理Ｓ２４１で動画処理部２２４によってＳＶ動画記憶部２３６に記憶された事故イベント動画に対応するリンク先（例えば前記事故イベント動画のＵＲＬ（Ｕｎｉｆｏｒｍ  Ｒｅｓｏｕｒｃｅ  Ｌｏｃａｔｏｒ）等）を記入する。
【０１０５】
そして、前記処理Ｓ２４４の次の処理Ｓ２４５では、管理サーバ装置ＳＶは、事故報告書作成部２２３によって、事故イベント動画を取り込んだ事故報告書を事故報告書記憶部２３７に記憶し、事故報告書を更新し、本処理を終了する。
【０１０６】
管理サーバ装置ＳＶは、このように動画の保存の処理Ｓ２４を実行する。
【０１０７】
図１２に戻って、処理Ｓ２５では、管理サーバ装置ＳＶは、ＳＶ制御処理部２２によって、前記処理Ｓ２１で受信した追記通知通信信号に収容された追記内容を事故報告書に追記する追記の処理を実行する。
【０１０８】
より具体的には、図１５において、まず、管理サーバ装置ＳＶは、ＳＶ制御処理部２２の事故報告書作成部２２３によって、前記処理Ｓ２１で受信した追記通知通信信号で指定された事故報告書を事故報告書記憶部２３７から選定し、取り出す（Ｓ２５１）。より具体的には、事故報告書作成部２２３は、前記処理Ｓ２１で受信した追記通知通信信号に収容された事故報告書ファイルのファイル名を持つ事故報告書を事故報告書記憶部２３７から取り出す。
【０１０９】
次に、管理サーバ装置ＳＶは、ＳＶ制御処理部２２の事故報告書作成部２２３によって、前記処理Ｓ２１で受信した追記通知通信信号に収容された追記内容を、この処理Ｓ２５１で取り出した事故報告書に追記する（Ｓ２５２）。
【０１１０】
次に、管理サーバ装置ＳＶは、ＳＶ制御処理部２２の事故報告書作成部２２３によって、この処理Ｓ２５２で追記した事故報告書を事故報告書記憶部２３７に本記憶し（Ｓ２５３）、本処理を終了する。より具体的には、事故報告書作成部２２３は、前記処理Ｓ２５２で追記した事故報告書を事故報告書記憶部２３７に記憶し、事故報告書を更新する。そして、事故報告書作成部２２３は、事故報告書記憶部２３７に記憶された報告書管理情報テーブルＲＴにおける報告書ファイル名フィールド２３７３に、前記処理Ｓ２５２で追記した事故報告書のファイル名（前記処理Ｓ２１で受信した追記通知通信信号に収容された事故報告書のファイル名）を登録するレコードを選定（検索）し、この選定したレコードにおける記憶モードフラグフィールド２３７４に、本記憶を意味する記憶モードフラグ「０」を登録する。これによって追記内容で追記された事故報告書が事故報告書記憶部２３７に本記憶される。
【０１１１】
管理サーバ装置ＳＶは、このように追記の処理Ｓ２５を実行する。
【０１１２】
図１２に戻って、処理Ｓ２６では、管理サーバ装置ＳＶは、ＳＶ制御処理部２２の事故報告書作成部２２３によって、前記処理Ｓ２１で受信した消去要求通信信号で指定された仮記憶の事故報告書を消去（削除）する消去（削除）の処理を実行する。
【０１１３】
より具体的には、図１６において、まず、管理サーバ装置ＳＶは、ＳＶ制御処理部２２の事故報告書作成部２２３によって、消去対象の事故報告書が仮記憶であるか、本記憶であるかを判定する（Ｓ２６１）。より詳しくは、事故報告書作成部２２３は、まず、事故報告書記憶部２３７に記憶された報告書管理情報テーブルＲＴにおける報告書ファイル名フィールド２３７３に、前記処理Ｓ２１で受信した消去要求通信信号に収容された事故報告書のファイル名を登録するレコードを選定（検索）し、この選定したレコードにおける記憶モードフラグフィールド２３７４に登録された記憶モードフラグを取り出す。事故報告書作成部２２３は、この取り出した記憶モードフラグが「０」である場合には、本記憶と判定し、本処理を終了する。なお、この場合では、本処理の終了前に、事故報告書を消去できない旨を、前記処理Ｓ２１で受信した消去要求通信信号の送信元である固定端末装置ＳＰへ通知しても良い。一方、事故報告書作成部２２３は、この取り出した記憶モードフラグが「０」である場合には、仮記憶と判定し、次の処理Ｓ２６２を実行する。
【０１１４】
この処理Ｓ２６２では、事故報告書作成部２２３は、前記処理Ｓ２６１で選定したレコードを報告書管理情報テーブルＲＴから削除し、報告書管理情報テーブルＲＴを更新する。
【０１１５】
そして、この処理Ｓ２６２の次に、事故報告書作成部２２３は、前記処理Ｓ２１で受信した消去要求通信信号に収容された事故報告書のファイル名を持つ事故報告書を、事故報告書記憶部２３７から消去（削除）し（Ｓ２６３）、本処理を終了する。
【０１１６】
管理サーバ装置ＳＶは、このように消去の処理Ｓ２６を実行する。
【０１１７】
図１２に戻って、処理Ｓ２７では、管理サーバ装置ＳＶは、ＳＶ制御処理部２２によって、前記処理Ｓ２１で受信した通信信号に応じた適宜な処理を実行する。
【０１１８】
そして、これら処理Ｓ２３ないし処理Ｓ２７それぞれの後に実行される前記処理Ｓ２８では、管理サーバ装置ＳＶは、ＳＶ制御処理部２２によって、その稼働が終了（停止）か否かを判定する。この判定の結果、稼働の終了（停止）である場合（Ｙｅｓ）には、管理サーバ装置ＳＶは、本処理を終了し、一方、稼働の終了（停止）ではない場合（Ｎｏ）には、管理サーバ装置ＳＶは、処理を処理Ｓ２１に戻す。
【０１１９】
各装置ＳＵ、ＳＰ、ＴＡから受信した通信信号に関し、管理サーバ装置ＳＶは、以上のように動作している。
【０１２０】
上述の処理Ｓ２３によって、事故報告書が管理サーバ装置ＳＶによって自動的に作成されるが、この時点では、上述したように、自動的に作成された事故報告書に未記入の領域（欄）が存在している。このため、マニュアルで、前記未記入の領域に必要に応じて記載事項を追記することによって、事故報告書の充実を図る必要がある。また、自動的に作成された事故報告書の中には、事故報告書の自動的な作成に起因した事故イベントの実際（現実）の状況（事態）によっては、本記憶して保存しておく必要のない事故報告書も有り得る。そこで、本実施形態における被監視者監視支援システムＭＳおよび管理サーバ装置ＳＶは、所定の時刻に、事故報告書記憶部２３７に仮記憶されている事故報告書の存在を警告するように構成されており、このような事情に対応している。
【０１２１】
より具体的には、図１２ないし図１６を用いて上述した各動作に並行して、管理サーバ装置ＳＶは、次のように動作することによって前記警告を実施している。図１８は、前記管理サーバ装置において、警告処理の動作を示すフローチャートである。
【０１２２】
図１８において、管理サーバ装置ＳＶは、まず、ＳＶ制御処理部２２の警告処理部２２５によって、現在の時刻が略設定時刻（略前記所定の時刻）であるか否かを判定する（Ｓ３１）。前記設定時刻は、例えば事故報告書の報告期限や監視者の勤務体制等を勘案して予め適宜に設定されて良く、例えば、朝方の定時（例えば８時等）および夕方の定時（例えば１７時等）、あるいは、毎正時（すなわち１時間ごと）等であって良い。
【０１２３】
この判定の結果、現在の時刻が略設定時刻ではない場合（Ｎｏ）には、警告処理部２２５は、例えば１０分や３０分等の所定時間を待つウェイト（Ｗａｉｔ）を実行し（Ｓ３２）、処理を処理Ｓ３１に戻す。一方、前記判定の結果、現在の時刻が略設定時刻である場合（Ｙｅｓ）には、警告処理部２２５は、次の処理Ｓ３３を実行する。
【０１２４】
この処理Ｓ３３では、警告処理部２２５は、事故報告書記憶部２３７に仮記憶されている事故報告書が存在するか否かを判定する。この判定は、事故報告書記憶部２３７に記憶されている報告書管理情報テーブルＲＴにおける記憶モードフラグフィールド２３７４に登録されている記憶モードフラグを参照することによって実行される。この判定の結果、前記記憶モードフラグフィールド２３７４に、仮記憶を意味する記憶モードフラグ「１」を登録するレコードが存在しない場合には、警告処理部２２５は、仮記憶の事故報告書が存在しないと判定し（Ｎｏ）、次の処理Ｓ３６を実行する。一方、前記判定の結果、前記記憶モードフラグフィールド２３７４に、仮記憶を意味する記憶モードフラグ「１」を登録するレコードが存在する場合には、警告処理部２２５は、仮記憶の事故報告書が存在すると判定し（Ｙｅｓ）、次の処理Ｓ３４および処理Ｓ３５を順次に実行した後に、前記処理Ｓ３６を実行する。
【０１２５】
この処理Ｓ３４では、警告処理部２２５は、事故報告書記憶部２３７に仮記憶されている事故報告書が存在するので、その警告を実施するために、警告通知通信信号を作成する。より具体的には、警告処理部２２５は、まず、事故報告書記憶部２３７に記憶されている報告書管理情報テーブルＲＴにおいて、記憶モードフラグフィールド２３７４に仮記憶を意味する記憶モードフラグ「１」を登録するレコードにおける報告書ファイル名フィールド２３７３に登録されている事故報告書のファイル名を取り出す。これによって、事故報告書記憶部２３７に仮記憶されている、１または複数のファイル名から成るファイル名の一覧が作成される。次に、警告処理部２２５は、前記取り出した１または複数の事故報告書のファイル名（前記警告の対象である仮記憶の事故報告書における１または複数のファイル名）、前記警告を固定端末装置ＳＰに所定時間だけ表示させる指示（命令、コマンド）、および、前記仮記憶の事故報告書に対する前記問い合わせを固定端末装置ＳＰに前記所定時間だけ表示させる指示（命令、コマンド）を収容した警告通知通信信号を所定の端末装置ＳＰ、ＴＡ（本実施形態では固定端末装置ＳＰ）宛に作成する。
【０１２６】
そして、この処理Ｓ３４の次の処理Ｓ３５では、警告処理部２２５は、前記処理Ｓ３４で作成した警告通知通信信号をＳＶ通信ＩＦ部２１で送信する。これによって警告通知通信信号が管理サーバ装置ＳＶから前記所定の端末装置ＳＰ、ＴＡ（本実施形態では固定端末装置ＳＰ）へ送信される。
【０１２７】
前記処理Ｓ３６では、管理サーバ装置ＳＶは、ＳＶ制御処理部２２によって、その稼働が終了（停止）か否かを判定する。この判定の結果、稼働の終了（停止）である場合（Ｙｅｓ）には、管理サーバ装置ＳＶは、本処理を終了し、一方、稼働の終了（停止）ではない場合（Ｎｏ）には、管理サーバ装置ＳＶは、処理を処理Ｓ３１に戻す。
【０１２８】
固定端末装置ＳＰは、管理サーバ装置ＳＶから警告通知通信信号を受信すると、上述したように、前記警告画面を表示する。
【０１２９】
この前記警告画面において、不必要な仮記憶の事故報告書があると、監視者（ユーザ）は、一覧で表示された事故報告書のファイル名を入力操作することによって、消去の事故報告書を指定して前記「消去」を入力操作する。前記「消去」ボタンの入力操作を受け付けると、固定端末装置ＳＰは、前記指定された事故報告書のファイル名を収容した消去要求通信信号を管理サーバ装置ＳＶへ送信する。この消去要求通信信号を受信すると、管理サーバ装置ＳＶは、図１２および図１６に示す上述の消去の処理Ｓ２６（Ｓ２６１〜Ｓ２６３）を実行することによって、消去対象の、前記指定された事故報告書を消去（削除）する。
【０１３０】
一方、前記警告画面において、仮記憶の事故報告書に追記をする場合、監視者（ユーザ）は、前記「メニュー」ボタンを入力操作する。前記「メニュー」ボタンが入力操作されると、固定端末装置ＳＰは、メニュー画面を表示する。なお、前記「メニュー」ボタンは、固定端末装置ＳＰに表示される各画面に備えられている。
【０１３１】
前記メニュー画面は、被監視者監視システムＭＳに対し固定端末装置ＳＰで操作できる複数の処理項目を表示し、各処理項目に対応する処理の実行の指示を受け付けるための画面であり、本実施形態では、「追記」ボタンを含む。前記「追記」ボタンは、管理サーバ装置ＳＶに仮記憶されている事故報告書に、さらに記載するべき事項を追記する指示を受け付けるボタンである。「追記」ボタンの入力操作を受け付けると、固定端末装置ＳＰは、仮記憶の事故報告書のファイル名を要求する通信信号（仮記憶事故報告書要求通信信号）を管理サーバ装置ＳＶへ送信する。
【０１３２】
管理サーバ装置ＳＶは、仮記憶事故報告書要求通信信号を受信すると、図１２に示す上述の処理Ｓ２１、処理Ｓ２２および処理Ｓ２７の各処理を実行することによって、事故報告書記憶部２３７から、これに仮記憶されている事故報告書を取り出す。より具体的には、管理サーバ装置ＳＶは、事故報告書記憶部２３７に記憶されている報告書管理情報テーブルＲＴにおいて、記憶モードフラグフィールド２３７４に仮記憶を意味する記憶モードフラグ「１」を登録するレコードにおける報告書ファイル名フィールド２３７３に登録されている事故報告書のファイル名を取り出す。そして、管理サーバ装置ＳＶは、この取り出した１または複数の事故報告書のファイル名（前記警告の対象である仮記憶の事故報告書における１または複数のファイル名）を収容した、仮記憶されている事故報告書を通知するための通信信号（仮記憶事故報告書通知通信信号）を固定端末装置ＳＰへ返信する。
【０１３３】
この仮記憶事故報告書通知通信信号の返信を受信すると、固定端末装置ＳＶは、仮記憶の事故報告書におけるファイル名を一覧で表示する。この仮記憶の事故報告書におけるファイル名は、当該仮記憶の事故報告書をダウンロードする指示を受け付けるボタンとなっている。ユーザは、追記したい仮記憶の事故報告書におけるファイル名を入力操作する。この仮記憶の事故報告書におけるファイル名の入力操作を受け付けると、固定端末装置ＳＰは、入力操作を受け付けたファイル名を収容した、事故報告書のファイルを要求するための通信信号（事故報告書要求通信信号）を管理サーバ装置ＳＶへ送信する。
【０１３４】
この事故報告書要求通信信号を受信すると、管理サーバ装置ＳＶは、図１２に示す上述の処理Ｓ２１、処理Ｓ２２および処理Ｓ２７の各処理を実行することによって、事故報告書記憶部２３７から、前記受信した事故報告書要求通信信号に収容されたファイル名を持つ事故報告書のファイルを取り出し、この取り出した事故報告書のファイルを収容した、事故報告書のファイルを通知するための通信信号（事故報告書通知通信信号）を固定端末装置ＳＰへ返信する。
【０１３５】
この事故報告書要求通信信号を受信すると、固定端末装置ＳＰは、仮記憶の事故報告書に追記するための追記画面を表示する。前記追記画面は、前記受信した事故報告書通知通信信号に収容された事故報告書を追記可能に表示する事故報告書追記領域と、追記の実行の指示を受け付ける「追記実行」ボタンとを備える。ユーザ（監視者）は、この追記画面を用いて必要な事項を追記し、「追記実行」ボタンを入力操作する。
【０１３６】
「追記実行」ボタンの入力操作を受け付けると、固定端末装置ＳＰは、前記指定された事故報告書のファイル名（追記画面に表示されている事故報告書のファイル名）および追記内容を収容した追記通知通信信号を管理サーバ装置ＳＶへ送信する。この追記通知通信信号を受信すると、管理サーバ装置ＳＶは、図１２および図１５に示す上述の消去の処理Ｓ２５（Ｓ２５１〜Ｓ２５３）を実行することによって、前記指定された事故報告書に追記内容で追記し、事故報告書記憶部２３７に本記憶する。
【０１３７】
事故報告書が事故報告書記憶部２３７に仮記憶されている場合に、管理サーバ装置ＳＶおよび端末装置ＳＰ、ＴＡ（本実施形態では固定端末装置ＳＰ）は、このように動作することによって、警告を実施し、仮記憶の事故報告書の消去や、仮記憶の事故報告書に対する追記を実施している。
【０１３８】
以上説明したように、本実施形態における被監視者監視支援システムＭＳ、中央処理装置の一例としての管理サーバ装置ＳＶおよびこれに実装された中央処理方法は、センサ装置ＳＵから事故イベントの通知を受信した場合に、時計部２２６で計時された現在の年月日時分、センサ装置ＳＵに対応付けられてセンサ情報記憶部２３３に記憶されたセンサ情報、および、センサ装置ＳＵに対応する被監視者Ｏｂに対応付けられて被監視者情報記憶部２３５に記憶された被監視者情報を、書式情報記憶部２３４に記憶された事故報告書書式に書き込むことによって、事故報告書を作成する。このため、上記被監視者監視支援システムＭＳ、管理サーバ装置ＳＶおよびその方法は、年月日時分の書き込みによって「いつ」、センサ情報の書き込みによって「どこで（どのセンサ装置で）」、および、被監視者情報の書き込みによって「だれに」の各情報を書き込んだ事故報告書を自動的に作成できる。特に、時計部２２６から取得した現在の年月日時分が事故報告書に書き込まれるので、事故イベントの発生時刻が極めて正確に記録される。したがって、上記被監視者監視支援システムＭＳ、管理サーバ装置ＳＶおよびその方法は、事故報告書の作成漏れを防止でき、事故報告書を速やかに作成できる。
【０１３９】
上記被監視者監視支援システムＭＳ、管理サーバ装置ＳＶおよびその方法は、前記事故イベントと共に受信した静止画（対象画像）を、前記事故報告書に貼り付けるので、事故イベントの発生時の様子を画像で確認できる。
【０１４０】
上記被監視者監視支援システムＭＳ、管理サーバ装置ＳＶおよびその方法は、前記事故イベントに関わる動画を前記事故報告書に取り込むので、事故イベントの発生時の様子を動画で確認できる。特に、前記事故イベント動画が前記事故イベントを検知した検知時の前後における所定の時間長の動画である場合、事故イベントの発生に至る過程の様子も動画で確認できるから、事故イベントの発生の原因を突き止めることができ、事故イベントの発生防止に役立てることができる。
【０１４１】
上記被監視者監視支援システムＭＳ、管理サーバ装置ＳＶおよびその方法は、事故報告書作成部２２３で自動的に作成された事故報告書に追記内容を追記するので、事故報告書の内容の充実を図ることができる。
【０１４２】
上記被監視者監視支援システムＭＳ、管理サーバ装置ＳＶおよびその方法は、事故報告書作成部２２３で自動的に作成された事故報告書に追記内容が追記されていない場合に、前記所定の時刻に仮記憶の事故報告書の存在を警告するので、事故報告書記憶部２３７に仮記憶されている間、前記所定の時刻ごとに警告され、追記の失念を防止できる。
【０１４３】
上記被監視者監視支援システムＭＳ、管理サーバ装置ＳＶおよびその方法は、前記警告の際に、消去を問い合わせ、前記消去の回答があった事故報告書を消去（削除）するので、事故報告書の作成が不要な事故イベントの検知である場合に、不要な事故報告書を消去（削除）でき、事故報告書記憶部２３７の記憶領域を有効に活用できる。
【０１４４】
なお、上述の実施形態では、仮記憶の事故報告書に対する追記およびその本記憶は、仮記憶の事故報告書が存在する旨の警告の際に実施されたが、固定端末装置ＳＰに表示される各画面から、その「メニュー」ボタンを入力操作して前記メニュー画面を表示させることによって、固定端末装置ＳＰに表示される各画面から実施できる。
【０１４５】
また、上述の実施形態において、管理サーバ装置ＳＶは、事故イベントを検知した際の被監視者のスケジュールをさらに事故報告書に自動的に記入するように構成されても良い。
【０１４６】
図１９は、変形形態の管理サーバ装置に記憶されるスケジュール情報テーブルの構成を示す図である。この場合、管理サーバ装置ＳＶは、図３に破線で示すように、ＳＶ記憶部２３に、被監視者Ｏｂのスケジュールを前記被監視者Ｏｂに対応付けて記憶するスケジュール記憶部２３８をさらに機能的に備え、事故報告書作成部２２３は、センサ装置ＳＵに対応する被監視者Ｏｂに対応付けられてスケジュール記憶部２３８に記憶された現在の年月日時分に対応するスケジュールの内容を、事故報告書書式にさらに書き込む。
【０１４７】
より具体的には、前記スケジュールは、予定の行動の種類と前記予定の行動を実行する予定の時刻とを対応付けた行動予定表であり、好ましくは、被監視者Ｏｂに実施される予定の看護のスケジュールである看護計画、および、被監視者Ｏｂに実施される予定のケアのスケジュールである介護計画のうちのいずれかである。本実施形態では、前記スケジュールが介護計画である。このような介護計画は、本実施形態では、テーブル形式でスケジュール記憶部２３８に記憶されている。この介護計画を登録するスケジュール情報テーブルＰＴは、例えば、図１９に示すように、介護の実施予定時刻を登録する実施予定時刻フィールド２３８１と、前記実施予定時刻フィールド２３８１に登録された実施予定時刻に実施する予定の介護の種類名を登録する介護種類フィールド２３８２とを備え、実施予定時刻および種類名の組ごとにレコードを持つ。そして、このようなスケジュール情報テーブルＰＴ（ＰＴ−ＳＵ１、ＰＴ−ＳＵ２、ＰＴ−ＳＵ３、・・・）は、各被監視者Ｏｂごとに用意され、各被監視者Ｏｂの各被監視者名それぞれに対応付けられている。図１９には、第１センサ装置ＳＵ−１によって監視されている被監視者Ｏｂの被監視者名である「Ａ」に対応付けられたスケジュール情報テーブルＰＴ−ＳＵ１が一例として示されている。なお、スケジュール情報テーブルＰＴは、被監視者Ｏｂの被監視者名に代え、あるいは、その被監視者名に追加して、前記被監視者名の被監視者Ｏｂを監視するセンサ装置ＳＵのセンサＩＤ（図１９に示す例では、センサＩＤ；「ＳＵ−１」）に対応付けられても良い。
【０１４８】
そして、事故報告書作成部２２３は、図１２および図１３に示す上述の処理Ｓ２３（Ｓ２３１〜Ｓ２３５）における処理Ｓ２３４において、現在の年月日時分、センサ情報および被監視者情報を取得する際に、前記処理Ｓ２１で受信した第１イベント通知通信信号を送信したセンサ装置ＳＵに対応する被監視者Ｏｂに対応付けられてスケジュール記憶部２３８に記憶された現在の年月日時分に対応するスケジュールの内容（ここでは介護の種類）をさらに取り出す。より詳しくは、事故報告書作成部２２３は、スケジュール記憶部２３８から、前記処理Ｓ２１で受信した第１イベント通知通信信号を送信したセンサ装置ＳＵに対応する被監視者Ｏｂのスケジュール情報テーブルＰＴを選定（検索）し、この選定したスケジュール情報テーブルＰＴから、現在の年月日時分に対応するスケジュールの内容（ここでは介護の種類）を取り出す。そして、事故報告書作成部２２３は、現在の年月日時分、センサ情報および被監視者情報を事故報告書書式に書き込む際に、この取り出したスケジュールの内容（ここでは介護の種類）を、事故報告書書式に書き込む。これによってスケジュールの内容を書き込んだ事故報告書（事故報告書ファイル）が事故報告書作成部２２３によって自動的に作成される。
【０１４９】
このような被監視者監視支援システムＭＳ、管理サーバ装置ＳＶおよびその方法は、被監視者Ｏｂにおけるスケジュールの内容を事故報告書にさらに書き込むので、どのような状況で生じた事故であるかを自動的に記録できる。
【０１５０】
本明細書は、上記のように様々な態様の技術を開示しているが、そのうち主な技術を以下に纏める。
【０１５１】
一態様にかかる中央処理装置は、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者の監視を支援するための被監視者監視支援システムの前記中央処理装置であって、前記所定のイベントは、事故として予め規定されたイベントである事故イベントを含み、前記事故の内容を記入するための事故報告書書式を記憶する書式情報記憶部と、前記被監視者に関する所定の情報を被監視者情報として前記被監視者に対応付けて記憶する被監視者情報記憶部と、前記センサ装置に関する所定の情報をセンサ情報として前記センサ装置に対応付けて記憶するセンサ情報記憶部と、年月日時分を計時する時計部と、前記センサ装置から事故イベントの通知を受信した場合に、前記時計部で計時された現在の年月日時分、前記センサ装置に対応付けられて前記センサ情報記憶部に記憶されたセンサ情報、および、前記センサ装置に対応する被監視者に対応付けられて前記被監視者情報記憶部に記憶された被監視者情報を、前記書式記憶部に記憶された事故報告書書式に書き込むことによって、事故報告書を作成する事故報告書作成部とを備える。好ましくは、上述の中央処理装置において、前記事故イベントは、転倒、転落および体動停止のうちのいずれかを少なくとも含む。好ましくは、上述の中央処理装置において、前記被監視者情報は、少なくとも被監視者の名、年齢および性別を含む。好ましくは、上述の中央処理装置において、前記被監視者情報は、前記センサ装置が配設された施設に対する前記被監視者の利用状況を含む。好ましくは、上述の中央処理装置において、前記センサ情報は、少なくともセンサ装置の配設場所を含む。
【０１５２】
このような中央処理装置は、前記センサ装置から事故イベントの通知を受信した場合に、前記時計部で計時された現在の年月日時分、前記センサ装置に対応付けられて前記センサ情報記憶部に記憶されたセンサ情報、および、前記センサ装置に対応する被監視者に対応付けられて前記被監視者情報記憶部に記憶された被監視者情報を、前記書式記憶部に記憶された事故報告書書式に書き込むことによって、事故報告書を作成する。このため、上記中央処理装置は、年月日時分の書き込みによって「いつ」、センサ情報の書き込みによって「どこで（どのセンサ装置で）」、および、被監視者情報の書き込みによって「だれに」の各情報を書き込んだ事故報告書を自動的に作成できる。特に、時計部から取得した現在の年月日時分が事故報告書に書き込まれるので、事故イベントの発生時刻が極めて正確に記録される。したがって、上記中央処理装置は、事故報告書の作成漏れを防止でき、事故報告書を速やかに作成できる。
【０１５３】
他の一態様では、上述の中央処理装置において、前記被監視者のスケジュールを前記被監視者に対応付けて記憶するスケジュール記憶部をさらに備え、前記事故報告書作成部は、前記センサ装置に対応する被監視者に対応付けられて前記スケジュール記憶部に記憶された現在の年月日時分に対応するスケジュールの内容を、前記事故報告書書式にさらに書き込む。好ましくは、上述の中央処理装置において、前記被監視者のスケジュールは、前記被監視者の看護計画および介護計画のうちのいずれかである。
【０１５４】
このような中央処理装置は、被監視者におけるスケジュールの内容を前記事故報告書にさらに書き込むので、どのような状況で生じた事故であるかを自動的に記録できる。
【０１５５】
他の一態様では、これら上述の中央処理装置において、前記センサ装置は、静止画を生成する撮像部を備え、少なくとも、前記事故イベントを当該中央処理装置に送信する際に、前記事故イベントと共に前記事故イベントの検知の際に前記撮像部で生成された静止画を当該中央処理装置に送信し、前記事故報告書作成部は、さらに、前記センサ装置から受信した前記事故イベントと共に受信した静止画を、前記事故報告書に貼り付ける。
【０１５６】
このような中央処理装置は、前記事故イベントと共に受信した静止画を、前記事故報告書に貼り付けるので、事故イベントの発生時の様子を画像で確認できる。
【０１５７】
他の一態様では、これら上述の中央処理装置において、前記撮像部は、さらに動画を生成し、前記センサ装置は、少なくとも、前記撮像部で生成された前記事故イベントに関わる動画である事故イベント動画を前記事故イベントに対応付けて当該中央処理装置にさらに送信し、事故イベントごとに事故イベント動画を記憶する事故イベント動画記憶部と、前記センサ装置から受信した事故イベント動画および前記事故イベントを互いに対応付けて前記事故イベント動画記憶部に記憶する事故イベント動画処理部とをさらに備え、前記事故報告書作成部は、さらに、前記事故イベント動画処理部で事故イベント動画記憶部に記憶された事故イベント動画を、この事故イベント動画に対応付けられた事故イベントと一致する事故イベントを前記センサ装置から受信した際に作成された前記事故報告書に取り込む。好ましくは、上述の中央処理装置において、前記事故報告書作成部は、前記事故イベント動画処理部で事故イベント動画記憶部に記憶された事故イベント動画と、この事故イベント動画に対応付けられた事故イベントと一致する事故イベントを前記センサ装置から受信した際に作成された前記事故報告書と、の間に、リンクを張ることによって、前記事故イベント動画を前記事故報告書に取り込む。好ましくは、上述の中央処理装置において、前記事故報告書作成部は、前記事故イベント動画処理部で事故イベント動画記憶部に記憶された事故イベント動画を、この事故イベント動画に対応付けられた事故イベントと一致する事故イベントを前記センサ装置から受信した際に作成された前記事故報告書に埋め込む（前記事故イベント動画と前記事故報告書とを一体化して１つのファイルに纏める）ことによって、前記事故イベント動画を前記事故報告書に取り込む。好ましくは、上述の中央処理装置において、前記事故イベント動画は、所定の時間長の動画である。好ましくは、上述の中央処理装置において、前記事故イベント動画は、前記事故イベントを検知した検知時の前後における所定の時間長の動画である。
【０１５８】
このような中央処理装置は、前記事故イベントに関わる動画を前記事故報告書に取り込むので、事故イベントの発生時の様子を動画で確認できる。特に、前記事故イベント動画が前記事故イベントを検知した検知時の前後における所定の時間長の動画である場合、事故イベントの発生に至る過程の様子も動画で確認できるから、事故イベントの発生の原因を突き止めることができ、事故イベントの発生防止に役立てることができる。
【０１５９】
他の一態様では、これら上述の中央処理装置において、前記事故報告書作成部で作成された事故報告書を仮記憶する事故報告書仮記憶部と、前記事故報告書作成部で作成された事故報告書に追記する追記内容を取得する追記内容取得部と、前記事故報告書を本記憶する事故報告書本記憶部とをさらに備え、前記事故報告書作成部は、さらに、前記事故報告書仮記憶部に仮記憶されている事故報告書を指定して前記追記内容取得部で追記内容を取得した場合に、前記指定された事故報告書に、前記取得した追記内容を書き込み、前記書き込んだ事故報告書を前記事故報告書本記憶部に記憶する。好ましくは、上述の中央処理装置において、前記事故報告書仮記憶部と前記事故報告書本記憶部とは、一体の事故報告書記憶部であり、前記事故報告書記憶部は、前記事故報告書を、仮記憶であるか本記憶であるかを示す記憶モードフラグと対応付けて記憶する。好ましくは、上述の中央処理装置において、前記追記内容取得部は、前記追記内容の入力を受け付ける入力部である。好ましくは、上述の中央処理装置において、前記追記内容取得部は、前記追記内容を収容した通信信号を受信する通信インターフェース部である。
【０１６０】
このような中央処理装置は、前記事故報告書作成部で自動的に作成された事故報告書に追記内容を追記するので、事故報告書の内容の充実を図ることができる。
【０１６１】
他の一態様では、上述の中央処理装置において、所定の時刻に、前記事故報告書仮記憶部に仮記憶されている事故報告書の存在を警告する警告処理部をさらに備える。好ましくは、上述の中央処理装置において、表示を行う表示部をさらに備え、前記警告処理部は、前記所定の時刻に前記警告を前記表示部に表示することによって、前記事故報告書仮記憶部に仮記憶されている事故報告書の存在を警告する。好ましくは、上述の中央処理装置において、通信を行う通信インターフェース部をさらに備え、前記警告を前記端末装置に表示させるための通信信号を前記通信インターフェース部で前記所定の時刻に前記端末装置へ送信することによって、前記事故報告書仮記憶部に仮記憶されている事故報告書の存在を警告する。
【０１６２】
このような中央処理装置は、前記事故報告書作成部で自動的に作成された事故報告書に追記内容が追記されていない場合に、前記所定の時刻に仮記憶の事故報告書の存在を警告するので、前記事故報告書仮記憶部に仮記憶されている間、前記所定の時刻ごとに警告され、追記の失念を防止できる。
【０１６３】
他の一態様では、上述の中央処理装置において、前記警告処理部は、前記警告の際に、前記事故報告書仮記憶部に仮記憶されている事故報告書を消去するか否かを問い合わせ、前記消去の回答があった場合に、前記消去の回答のあった事故報告書を前記事故報告書仮記憶部から消去する。好ましくは、上述の中央処理装置において、表示を行う表示部と、入力を受け付ける入力部とをさらに備え、前記警告処理部は、前記問い合わせを前記表示部に表示することによって、前記警告の際に、前記事故報告書仮記憶部に仮記憶されている事故報告書を消去するか否かを問い合わせ、前記入力部から前記消去の回答を受け付けた場合に、前記消去の回答のあった事故報告書を前記事故報告書仮記憶部から消去する。好ましくは、上述の中央処理装置において、通信を行う通信インターフェース部をさらに備え、前記警告処理部は、前記事故報告書仮記憶部に仮記憶されている事故報告書を消去するか否かを問い合わせるための通信信号を、前記通信インターフェース部で前記端末装置へ送信することによって、前記警告の際に、前記事故報告書仮記憶部に仮記憶されている事故報告書を消去するか否かを問い合わせ、前記消去の回答を収容する通信信号を前記端末装置から受信した場合に、前記消去の回答のあった事故報告書を前記事故報告書仮記憶部から消去する。
【０１６４】
このような中央処理装置は、前記警告の際に、消去を問い合わせ、前記消去の回答があった事故報告書を消去（削除）するので、事故報告書の作成が不要な事故イベントの検知である場合に、不要な事故報告書を消去（削除）でき、前記事故報告書仮記憶部の記憶領域を有効に活用できる。
【０１６５】
他の一態様にかかる中央処理方法は、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者の監視を支援するための被監視者監視支援システムの中央処理方法であって、前記所定のイベントは、事故として予め規定されたイベントである事故イベントを含み、前記中央処理装置は、前記事故の内容を記入するための事故報告書書式を記憶する書式情報記憶部と、前記被監視者に関する所定の情報を被監視者情報として前記被監視者に対応付けて記憶する被監視者情報記憶部と、前記センサ装置に関する所定の情報をセンサ情報として前記センサ装置に対応付けて記憶するセンサ情報記憶部と、年月日時分を計時する時計部とを備え、前記センサ装置から事故イベントの通知を受信した場合に、前記時計部で計時された現在の年月日時分を取得する時刻取得工程と、前記センサ装置から事故イベントの通知を受信した場合に、前記センサ装置に対応付けられたセンサ情報を前記センサ情報記憶部から取得するセンサ情報取得工程と、前記センサ装置から事故イベントの通知を受信した場合に、前記センサ装置に対応する被監視者に対応付けられた被監視者情報を取得する被監視者情報取得工程と、前記時刻取得工程で取得された現在の年月日時分、前記センサ情報取得工程で取得されたセンサ情報、および、前記被監視者情報取得工程で取得された被監視者情報を、前記書式記憶部に記憶された事故報告書書式に書き込むことによって、事故報告書を作成する事故報告書作成工程とを備える。
【０１６６】
このような中央処理方法は、前記センサ装置から事故イベントの通知を受信した場合に、前記時刻取得工程で取得された現在の年月日時分、前記センサ情報取得工程で取得されたセンサ情報、および、前記被監視者情報取得工程で取得された被監視者情報を、前記書式記憶部に記憶された事故報告書書式に書き込むことによって、事故報告書を作成する。このため、上記中央処理方法は、年月日時分の書き込みによって「いつ」、センサ情報の書き込みによって「どこで（どのセンサ装置で）」、および、被監視者情報の書き込みによって「だれに」の各情報を書き込んだ事故報告書を自動的に作成できる。特に、時計部から取得した現在の年月日時分が事故報告書に書き込まれるので、事故イベントの発生時刻が極めて正確に記録される。したがって、上記中央処理方法は、事故報告書の作成漏れを防止でき、事故報告書を速やかに作成できる。
【０１６７】
他の一態様にかかる被監視者監視支援システムは、監視対象である被監視者に対応して設けられ、前記被監視者に関わる所定のイベントを検知するセンサ装置、前記センサ装置と通信可能に接続され、前記センサ装置で検知されて前記センサ装置から受信したイベントを管理する中央処理装置、および、前記中央処理装置と通信可能に接続され前記中央処理装置を介して前記センサ装置で検知されたイベントの通知を受ける端末装置を備え、前記被監視者の監視を支援するための被監視者監視支援システムであって、前記中央処理装置は、これら上述のいずれかの中央処理装置である。
【０１６８】
このような被監視者監視支援システムは、これら上述のいずれかの中央処理装置を備えるので、事故報告書の作成漏れを防止でき、事故報告書を速やかに作成できる。
【０１６９】
この出願は、２０１７年７月７日に出願された日本国特許出願特願２０１７−１３３６０６を基礎とするものであり、その内容は、本願に含まれるものである。
【０１７０】
本発明の実施形態が詳細に図示され、かつ、説明されたが、それは単なる図例及び実例であって限定ではない。本発明の範囲は、添付されたクレームの文言によって解釈されるべきである。
【０１７１】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１７２】
本発明によれば、監視すべき監視対象である被監視者を監視する際にその監視を支援する被監視者監視支援システムの中央処理装置および中央処理方法、ならびに、前記被監視者監視支援システムが提供できる。
【図１】
2019008890.tif 000003
【図２】
2019008890.tif 000004
【図３】
2019008890.tif 000005
【図４】
2019008890.tif 000006
【図５】
2019008890.tif 000007
【図６】
2019008890.tif 000008
【図７】
2019008890.tif 000009
【図８】
2019008890.tif 000010
【図９】
2019008890.tif 000011
【図１０】
2019008890.tif 000012
【図１１】
2019008890.tif 000013
【図１２】
2019008890.tif 000014
【図１３】
2019008890.tif 000015
【図１４】
2019008890.tif 000016
【図１５】
2019008890.tif 000017
【図１６】
2019008890.tif 000018
【図１７】
2019008890.tif 000019
【図１８】
2019008890.tif 000020
【図１９】
2019008890.tif 000021
【国際調査報告】
2019008890.tif 000022
2019008890.tif 000023